(57)【要約】【課題】隔壁で区画された複数のセルに充填された電気泳動粒子の濃度のバラツキによる、表示品位の低下を抑制すること。【解決手段】画素電極１２を有する素子基板１と、素子基板１に対向する対向基板２と、素子基板１と対向基板２との間隙を複数のセル５５に区画する隔壁部５０と、複数のセル５５に充填された電気泳動粒子３３，３４を含む分散媒３２と、を含み、画素電極１２が配置された表示領域Ｖに基準点ＢＰまたは基準線ＢＬを有し、隔壁部５０は、側壁５１ａと、基準点ＢＰまたは基準線ＢＬに対して側壁５１ａよりも遠い側壁５１ｂとを有し、隔壁部５０は、素子基板１に対する側壁５１ａの勾配が、素子基板１に対する側壁５１ｂの勾配と比べて、緩勾配である部分を有することを特徴とする。【選択図】図２
2015102846.tif 000002
【特許請求の範囲】
【請求項１】
画素電極を有する第１の基板と、
前記第１の基板に対向する第２の基板と、
前記第１の基板と前記第２の基板との間隙を複数のセルに区画する隔壁と、
前記複数のセルに充填された電気泳動粒子を含む分散媒と、
を含み、
前記画素電極が配置された領域に、基準点または基準線を有し、
前記隔壁は、第１の側壁と、前記基準点または前記基準線に対して前記第１の側壁よりも遠い第２の側壁と、を有し、
前記隔壁は、前記第１の基板に対する前記第１の側壁の勾配が、前記第１の基板に対する前記第２の側壁の勾配と比べて、緩勾配である部分を有することを特徴とする電気泳動表示装置。
【請求項２】
少なくとも第１の方向に配置された画素電極と、
前記画素電極を有する第１の基板と、
前記第１の基板に対向する第２の基板と、
前記第１の基板と前記第２の基板との間隙を複数のセルに区画する隔壁と、
前記複数のセルに充填された電気泳動粒子を含む分散媒と、
を含み、
前記隔壁は、第１の側壁と、前記第１の側壁に対して前記第１の方向の側に配置される第２の側壁と、を有し、
前記隔壁は、前記第１の基板に対する前記第１の側壁の勾配が、前記第１の基板に対する前記第２の側壁の勾配と比べて、緩勾配である部分を有することを特徴とする電気泳動表示装置。
【請求項３】
前記第１の基板に対する前記第１の側壁の勾配が、前記第１の基板に対する前記第２の側壁の勾配と比べて緩勾配である部分では、
前記第１の側壁は、前記第１の基板に対して順テーパーとなるように設けられ、前記第１の側壁と前記第１の基板とがなす角度は、４５度〜６０度の範囲にあり、
前記第２の側壁は、前記第１の基板に対して順テーパー、垂直、または逆テーパーとなるように設けられ、前記第２の側壁と前記第１の基板とがなす角度は、８５度〜１０５度の範囲にあることを特徴とする請求項１または２に記載の電気泳動表示装置。
【請求項４】
前記画素電極が配置された領域に、他の基準点または他の基準線を有し、
前記隔壁は、第１の隔壁と、第２の隔壁とを有し、
前記第１の隔壁は、前記基準点または前記基準線に対して前記第２の隔壁よりも近い側に配置され、
前記第２の隔壁は、前記他の基準点または前記他の基準線に対して前記第１の隔壁よりも近い側に配置され、
前記第１の隔壁は、前記第１の側壁と、前記第２の側壁とを有し、
前記第２の隔壁は、第３の側壁と、前記他の基準点または前記他の基準線に対して前記第３の側壁よりも遠い第４の側壁と、を有し、
前記第２の隔壁は、前記第１の基板に対する前記第３の側壁の勾配が、前記第１の基板に対する前記第４の側壁の勾配と比べて、緩勾配である部分を有することを特徴とする請求項１に記載の電気泳動表示装置。
【請求項５】
前記第１の基板に対する前記第３の側壁の勾配が、前記第１の基板に対する前記第４の側壁の勾配と比べて緩勾配である部分では、
前記第３の側壁は、前記第１の基板に対して順テーパーとなるように設けられ、前記第１の側壁と前記第１の基板とがなす角度は、４５度〜６０度の範囲にあり、
前記第４の側壁は、前記第１の基板に対して順テーパー、垂直、または逆テーパーとなるように設けられ、前記第２の側壁と前記第１の基板とがなす角度は、８５度〜１０５度の範囲にあることを特徴とする請求項４に記載の電気泳動表示装置。
【請求項６】
前記隔壁は、前記第１の基板に対して略同じ勾配である一対の側壁を有し、前記一対の側壁と前記第１の基板とがなす角度は８５度〜１０５度の範囲にあることを特徴とする請求項１乃至５のうちいずれか１項に記載の電気泳動表示装置。
【請求項７】
画素電極を有する第１の基板と、
前記第１の基板に対向する第２の基板と、
前記第１の基板と前記第２の基板との間隙を複数のセルに区画する隔壁と、
前記複数のセルに充填された電気泳動粒子を含む分散媒と、
を含み、
前記画素電極が配置された領域に、基準点または基準線を有し、
前記隔壁は、第５の側壁と、前記基準点または前記基準線に対して前記第５の側壁よりも遠い第６の側壁と、を有し、
前記第５の側壁は、前記第１の基板に対して順テーパーとなるように設けられ、前記第５の側壁と前記第１の基板とがなす角度は、４５度〜６０度の範囲にあり、
前記第６の側壁は、前記第１の基板に対して順テーパーとなるように設けられ、前記第６の側壁と前記第１の基板とがなす角度は、４５度〜６０度の範囲にあることを特徴とする電気泳動表示装置。
【請求項８】
請求項１乃至７のうちいずれか１項に記載の電気泳動表示装置を備えていることを特徴とする電子機器。
【請求項９】
画素電極を有する第１の基板と、第２の基板と、前記第１の基板と前記第２の基板との間隙を複数のセルに区画する隔壁と、前記複数のセルに充填された電気泳動粒子を含む分散媒と、を含み、前記画素電極が配置された領域に基準点または基準線を有し、前記隔壁は、第１の側壁と、前記基準点または前記基準線に対して前記第１の側壁よりも遠い第２の側壁と、を有する電気泳動表示装置の製造方法であって、
前記第１の基板に対する前記第１の側壁の勾配が、前記第１の基板に対する前記第２の側壁の勾配と比べて緩勾配となるように、前記第１の基板または前記第２の基板のうちの一方の基板に前記隔壁を形成する工程と、
前記一方の基板の側に前記分散媒を吐出し、前記基準点または前記基準線を含む塗布領域に前記分散媒を塗布する工程と、
前記第１の基板または前記第２の基板のうちの他方の基板を、前記一方の基板に貼り合せ、前記分散媒を流動させて前記複数のセルに前記分散媒を充填する工程と、
を有していることを特徴とする電気泳動表示装置の製造方法。
【請求項１０】
少なくとも第１の方向に配置された画素電極と、前記画素電極を有する第１の基板と、第２の基板と、前記第１の基板と前記第２の基板との間隙を複数のセルに区画する隔壁と、前記複数のセルに充填された電気泳動粒子を含む分散媒と、を含み、前記隔壁は、第１の側壁と、前記第１の側壁に対して前記第１の方向の側に配置される第２の側壁と、を有する電気泳動表示装置の製造方法であって、
前記第１の基板に対する前記第１の側壁の勾配が、前記第１の基板に対する前記第２の側壁の勾配と比べて緩勾配となるように、前記第１の基板または前記第２の基板のうちの一方の基板に前記隔壁を形成する工程と、
前記一方の基板の側に前記分散媒を吐出し、前記第１の基板または前記第２の基板のうちの他方の基板を前記一方の基板に重ね合せ、塗布された前記分散媒を前記第１の方向に流動させて前記複数のセルに充填し、前記一方の基板と前記他方の基板とを貼り合せる工程と、
を有していることを特徴とする電気泳動表示装置の製造方法。
【請求項１１】
前記隔壁を形成する工程では、
前記第１の基板となす角度が４５度〜６０度の範囲となるように、前記第１の基板に対して順テーパーの前記第１の側壁を形成し、
前記第１の基板となす角度が８５度〜１０５度の範囲となるように、前記第１の基板に対して順テーパー、垂直、または逆テーパーの傾斜の前記第２の側壁を形成することを特徴とする請求項９または１０に記載の電気泳動表示装置の製造方法。
【請求項１２】
前記隔壁を形成する工程は、インプリント法を用いて前記隔壁を形成することを特徴とする請求項９乃至１１のうちいずれか１項に記載の電気泳動表示装置の製造方法。
【請求項１３】
前記分散媒を塗布する工程では、
点状または線状に前記分散媒を吐出する吐出部を有する吐出装置を用いて、前記分散媒を前記基準点または前記基準線に吐出して、前記塗布領域に前記分散媒を塗布することを特徴とする請求項９に記載の電気泳動表示装置の製造方法。
【請求項１４】
前記分散媒を塗布する工程では、
線状に前記分散媒を吐出する吐出部を有する吐出装置を用いて、前記塗布領域の一辺に沿って前記吐出部を移動させながら前記分散媒を吐出して、前記塗布領域に前記分散媒を塗布することを特徴とする請求項９に記載の電気泳動表示装置の製造方法。
【発明の詳細な説明】
【技術分野】
【０００１】
本発明は、電気泳動表示装置及びその製造方法、並びに当該電気泳動表示装置を備えた電子機器に関する。
【背景技術】
【０００２】
電気泳動粒子が電界によって溶液中を移動する電気泳動現象を応用した電気泳動表示装置は、良好な視認性と低消費電力という特長を有し、携帯型電子機器に好適な表示装置である。
【０００３】
例えば、特許文献１の電気泳動表示装置では、素子基板に複数のセルを区画する隔壁を形成し、ディスペンサーで電気泳動粒子が分散された分散媒を塗布した後に、対向基板を素子基板に重ね合せて、隔壁により区画された複数のセルに当該分散媒を充填している。対向基板を素子基板に重ね合せると、当該分散媒は、隔壁を乗り越えながら流動し、複数のセルが形成された領域の全体に押し広げられる。さらに、対向基板と素子基板との接合面にはプラズマ重合膜が設けられているので、対向基板と素子基板とが強固に接着されている。
【先行技術文献】
【特許文献】
【０００４】
【特許文献１】特開２０１２−６３４１８号公報
【発明の概要】
【発明が解決しようとする課題】
【０００５】
分散媒に分散された電気泳動粒子は、重力の影響を受けて、重力が作用する方向に流動しやすく、重力が作用する方向と反対方向に流動しにくい。このため、上記特許文献１の電気泳動表示装置の製造方法によれば、複数のセルに電気泳動粒子を含む分散媒を充填する際に、電気泳動粒子は、素子基板の表面に突出した隔壁を乗り越えて流動しにくい。つまり、電気泳動粒子の流動が隔壁によって阻害されると、隔壁を乗り越えて流動する前と、隔壁を乗り越えて流動した後とで、複数のセル間における電気泳動粒子の濃度のムラが生じる恐れがある。このような電気泳動粒子の濃度のムラは表示ムラとなり、表示品位の低下を招くという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る電気泳動表示装置は、画素電極を有する第１の基板と、前記第１の基板に対向する第２の基板と、前記第１の基板と前記第２の基板との間隙を複数のセルに区画する隔壁と、前記複数のセルに充填された電気泳動粒子を含む分散媒と、を含み、前記画素電極が配置された領域に基準点または基準線を有し、前記隔壁は、第１の側壁と、前記基準点または前記基準線に対して前記第１の側壁よりも遠い第２の側壁と、を有し、前記隔壁は、前記第１の基板に対する前記第１の側壁の勾配が、前記第１の基板に対する前記第２の側壁の勾配と比べて、緩勾配である部分を有することを特徴とする。
【０００８】
本適用例によれば、第１の基板と第２の基板との間に隔壁が設けられ、第１の基板と第２の基板との間隙が複数のセルに区画される。さらに、第１の基板と第２の基板との間で電気泳動粒子を含む分散媒を流動させて、電気泳動粒子を含む分散媒を複数のセルに充填する。詳しくは、電気泳動粒子を含む分散媒の流動の起点となる部分、つまり本適用例における基準点または基準線（以降、流動の起点となる部分と称す）に電気泳動粒子を含む分散媒を塗布し、電気泳動粒子を含む分散媒を流動の起点となる部分から流動させて、複数のセルに充填する。換言すれば、流動の起点となる部分に塗布された電気泳動粒子を含む分散媒を、第１の基板と第２の基板との間に設けられた隔壁を乗り越えるように流動させ、複数のセルに充填する。
【０００９】
なお、電気泳動粒子を含む分散媒が充填された部分（セルが設けられた領域）は、表示に寄与する表示領域となる。隔壁が設けられた部分（隔壁が設けられた領域）は、表示に寄与しない非表示領域となる。
【００１０】
一方、分散媒中に分散されている電気泳動粒子は、重力の影響を受け、重力が作用する方向に流動しやすく、重力が作用する方向と反対方向に流動しにくい。このため、電気泳動粒子は隔壁を乗り越えて流動しにくい、つまり隔壁によって電気泳動粒子の流動が阻害される。例えば、隔壁によって電気泳動粒子の流動が強く阻害されると、隔壁を乗り越えて流動する前と、隔壁を乗り越えて流動した後とで、電気泳動粒子の濃度のムラが生じ、当該濃度のムラが表示のムラとなり、表示品位の低下を招く恐れがある。
【００１１】
隔壁は、流動の起点となる部分（基準点または基準線）に近い側の第１の側壁と、流動の起点となる部分（基準点または基準線）に遠い側の第２の側壁とを有し、電気泳動粒子を含む分散媒は、第１の側壁から第２の側壁に向けて流動する。このため、電気泳動粒子を含む分散媒が隔壁を乗り越える際に、電気泳動粒子は、最初に第１の側壁に沿って上方（重力が作用する方向と反対方向）に流動し、続いて第２の側壁に沿って下方（重力が作用する方向）に流動することなる。よって、電気泳動粒子の流動は、第１の側壁で阻害されやすく、第２の側壁で阻害されにくくなる。
【００１２】
さらに、隔壁は、素子基板に対する第１の側壁の勾配が、素子基板に対する第２の側壁の勾配よりも緩勾配である部分を有しているので、第１の側壁の勾配が急勾配である場合と比べて、第１の側壁において電気泳動粒子の流動が阻害されにくい。つまり、第１の側壁の勾配を緩勾配とすることで、電気泳動粒子は隔壁（第１の側壁）を乗り越えて流動しやすくなる。よって、流動の起点となる部分に塗布された電気泳動粒子を含む分散媒を、隔壁を乗り越えるように流動させて、複数のセルに充填する際に、電気泳動粒子の濃度のムラが生じにくくなる。従って、複数のセルに充填された電気泳動粒子の濃度のムラが抑制され、均一な表示、すなわち高品位な表示を提供することができる。
【００１３】
［適用例２］本適用例に係る電気泳動表示装置は、少なくとも第１の方向に配置された画素電極と、前記画素電極を有する第１の基板と、前記第１の基板に対向する第２の基板と、前記第１の基板と前記第２の基板との間隙を複数のセルに区画する隔壁と、前記複数のセルに充填された電気泳動粒子を含む分散媒と、を含み、前記隔壁は、第１の側壁と、前記第１の側壁に対して前記第１の方向の側に配置される第２の側壁と、を有し、前記隔壁は、前記第１の基板に対する前記第１の側壁の勾配が、前記第１の基板に対する前記第２の側壁の勾配と比べて、緩勾配である部分を有することを特徴とする。
【００１４】
本適用例によれば、第１の基板と第２の基板との間に隔壁が設けられ、第１の基板と第２の基板との間隙が複数のセルに区画される。さらに、電気泳動粒子を含む分散媒を、第１の方向に隔壁を乗り越えるように流動させて、複数のセルに充填する。
一方、分散媒中に分散されている電気泳動粒子は、重力の影響を受け、重力が作用する方向に流動しやすく、重力が作用する方向と反対方向に流動しにくい。このため、電気泳動粒子は隔壁を乗り越えて流動しにくい、つまり隔壁によって電気泳動粒子の流動が阻害される。例えば、隔壁によって電気泳動粒子の流動が強く阻害されると、隔壁を乗り越えて流動する前と、隔壁を乗り越えて流動した後とで、電気泳動粒子の濃度のムラが生じ、当該濃度のムラが表示のムラとなり、表示品位の低下を招く恐れがある。
【００１５】
隔壁は、第１の側壁と、第１の側壁に対して第１の方向の側に配置される第２の側壁とを有している。電気泳動粒子を含む分散媒は、第１の方向、つまり第１の側壁から第２の側壁に向かう方向に流動するので、電気泳動粒子は、最初に第１の側壁に沿って上方（重力が作用する方向と反対方向）に流動し、続いて第２の側壁に沿って下方（重力が作用する方向）に流動することなる。よって、電気泳動粒子の流動は、第１の側壁で阻害されやすく、第２の側壁で阻害されにくくなる。
【００１６】
さらに、隔壁は、素子基板に対する第１の側壁の勾配が、素子基板に対する第２の側壁の勾配よりも緩勾配である部分を有しているので、第１の側壁の勾配が急勾配である場合と比べて、第１の側壁において電気泳動粒子の流動が阻害されにくい。つまり、第１の側壁の勾配を緩勾配とすることで、電気泳動粒子は隔壁（第１の側壁）を乗り越えて流動しやすくなる。よって、流動の起点となる部分に塗布された電気泳動粒子を含む分散媒を、隔壁を乗り越えるように流動させて、複数のセルに充填する際に、電気泳動粒子の濃度のムラが生じにくくなる。従って、複数のセルに充填された電気泳動粒子の濃度のムラが抑制され、均一な表示、すなわち高品位な表示を提供することができる。
【００１７】
［適用例３］上記適用例に記載の電気泳動表示装置は、前記第１の基板に対する前記第１の側壁の勾配が、前記第１の基板に対する前記第２の側壁の勾配と比べて緩勾配である部分では、前記第１の側壁は、前記第１の基板に対して順テーパーとなるように設けられ、前記第１の側壁と前記第１の基板とがなす角度は、４５度〜６０度の範囲にあり、前記第２の側壁は、前記第１の基板に対して順テーパー、垂直、または逆テーパーとなるように設けられ、前記第２の側壁と前記第１の基板とがなす角度は、８５度〜１０５度の範囲にあることが好ましい。
【００１８】
第１の側壁は、電気泳動粒子を含む分散媒の流動を阻害するので、第１の基板に対する第１の側壁の勾配を、第１の基板に対する第２の側壁の勾配と比べて緩勾配にし、第１の側壁によって電気泳動粒子を含む分散媒の流動が阻害されにくくすることが好ましい。このため、第１の側壁を第１の基板に対して順テーパーとなるように設け、第１の側壁と第１の基板とがなす角度を４５度〜６０度の範囲とすることが好ましい。
【００１９】
第２の側壁は、電気泳動粒子を含む分散媒の流動を阻害しにくいので、第１の基板に対する第２の側壁の勾配を、第１の基板に対する第１の側壁の勾配と比べて急勾配にすることができる。さらに、隔壁の面積（非表示領域の面積）を小さくするためには、第２の側壁は急勾配であることが好ましい。このため、第２の側壁を、第１の基板に対して順テーパー、垂直、または逆テーパーとなるように設け、第２の側壁と第１の基板とがなす角度を８５度〜１０５度の範囲とすることが好ましい。
【００２０】
［適用例４］上記適用例に記載の電気泳動表示装置は、前記画素電極が配置された領域に、他の基準点または他の基準線を有し、前記隔壁は、第１の隔壁と、第２の隔壁とを有し、前記第１の隔壁は、前記基準点または前記基準線に対して前記第２の隔壁よりも近い側に配置され、前記第２の隔壁は、前記他の基準点または前記他の基準線に対して前記第１の隔壁よりも近い側に配置され、前記第１の隔壁は、前記第１の側壁と、前記第２の側壁とを有し、前記第２の隔壁は、第３の側壁と、前記他の基準点または前記他の基準線に対して前記第３の側壁よりも遠い第４の側壁と、を有し、前記第２の隔壁は、前記第１の基板に対する前記第３の側壁の勾配が、前記第１の基板に対する前記第４の側壁の勾配と比べて、緩勾配である部分を有することが好ましい。
【００２１】
本適用例によれば、基準点または基準線（流動の起点となる部分）に加えて他の基準点または他の基準線（他の流動の起点となる部分）に、電気泳動粒子を含む分散媒を塗布し、流動の起点となる部分に加えて他の流動の起点となる部分からも、電気泳動粒子を含む分散媒を流動させて、複数のセルに充填する。隔壁は、流動の起点となる部分に近い側に配置された第１の隔壁と、他の流動の起点となる部分に近い側に配置された第２の隔壁とを有している。
第２の隔壁は、他の流動の起点となる部分に近い側の第３の側壁と、他の流動の起点となる部分に遠い側の第４の側壁とを有している。他の流動の起点となる部分に塗布された電気泳動粒子を含む分散媒は、第３の側壁から第４の側壁に向けて流動する。このため、電気泳動粒子を含む分散媒が隔壁を乗り越える際に、電気泳動粒子は、最初に第３の側壁に沿って上方（重力が作用する方向と反対方向）に流動し、続いて第４の側壁に沿って下方（重力が作用する方向）に流動する。よって、電気泳動粒子の流動は、第３の側壁で阻害されやすく、第４の側壁で阻害されにくくなる。
【００２２】
素子基板に対する第３の側壁の勾配は、素子基板に対する第４の側壁の勾配と比べて緩勾配である部分を有しているので、第３の側壁の勾配を急勾配とする場合と比べて、第３の側壁において電気泳動粒子の流動が阻害されにくい。つまり、第３の側壁の勾配を緩勾配とすることで、電気泳動粒子を含む分散媒が第２の隔壁（第３の側壁）を乗り越えて流動しやすくなる。
よって、流動の起点となる部分及び他の流動の起点となる部分に塗布された電気泳動粒子を含む分散媒を、隔壁（第１の隔壁、第２の隔壁）を乗り越えるように流動させて、複数のセルに充填する際に、電気泳動粒子の濃度のムラが生じにくくなる。従って、複数のセルに充填された電気泳動粒子の濃度のムラが抑制され、均一な表示、すなわち高品位な表示を提供することができる。
【００２３】
さらに、電気泳動粒子を含む分散媒は、流動の起点となる部分に加えて他の流動の起点となる部分からも流動するので、流動の起点となる部分だけから流動する場合と比べて、電気泳動粒子を含む分散媒を短時間で複数のセルに充填することができる。つまり、電気泳動粒子を含む分散媒を複数のセルに充填する工程の生産性を高めることができる。
【００２４】
［適用例５］上記適用例に記載の電気泳動表示装置は、前記第１の基板に対する前記第３の側壁の勾配が、前記第１の基板に対する前記第４の側壁の勾配と比べて緩勾配である部分では、前記第３の側壁は、前記第１の基板に対して順テーパーとなるように設けられ、前記第１の側壁と前記第１の基板とがなす角度は、４５度〜６０度の範囲にあり、前記第４の側壁は、前記第１の基板に対して順テーパー、垂直、または逆テーパーとなるように設けられ、前記第２の側壁と前記第１の基板とがなす角度は、８５度〜１０５度の範囲にあることが好ましい。
【００２５】
第３の側壁は、電気泳動粒子を含む分散媒の流動を阻害するので、第１の基板に対する第３の側壁の勾配が、第１の基板に対する第４の側壁の勾配と比べて緩勾配とすることが好ましい。このため、第３の側壁を第１の基板に対して順テーパーとなるように設け、第３の側壁と第１の基板とがなす角度を４５度〜６０度の範囲とすることが好ましい。
【００２６】
第４の側壁は、電気泳動粒子を含む分散媒の流動を阻害しにくいので、第１の基板に対する第４の側壁の勾配を、第１の基板に対する第３の側壁の勾配と比べて急勾配にすることができる。さらに、隔壁の面積（非表示領域の面積）を小さくするためには、第４の側壁は急勾配であることが好ましい。このため、第４の側壁を、第１の基板に対して順テーパー、垂直、または逆テーパーとなるように設け、第４の側壁と第１の基板とがなす角度を８５度〜１０５度の範囲とすることが好ましい。
【００２７】
［適用例６］上記適用例に記載の電気泳動表示装置では、前記隔壁は、前記第１の基板に対して略同じ勾配である一対の側壁を有し、前記一対の側壁と前記第１の基板とがなす角度は８５度〜１０５度の範囲にあることが好ましい。
【００２８】
電気泳動粒子を含む分散媒の流動方向に交差する方向に延在する隔壁と、電気泳動粒子を含む分散媒の流動方向に延在する隔壁とが存在する。電気泳動粒子を含む分散媒の流動方向に交差する方向に延在する隔壁は、電気泳動粒子の流動を阻害しやすく、電気泳動粒子を含む分散媒の流動方向に延在する隔壁は、電気泳動粒子の流動を阻害しにくい。
【００２９】
このため、電気泳動粒子を含む分散媒の流動方向に延在する隔壁を、第１の基板に対して略同じ勾配であり、第１の基板となす角度が８５度〜１０５度の範囲にある一対の側壁で構成しても、電気泳動粒子の流動は阻害されにくい。よって、電気泳動粒子を含む分散媒の流動方向に延在する隔壁を、第１の基板となす角度が８５度〜１０５度の範囲にある急勾配の側壁で構成することができる。電気泳動粒子を含む分散媒の流動方向に延在する隔壁を、当該急勾配の側壁で構成することで、当該隔壁の面積（非表示領域の面積）を小さくすることができる。
【００３０】
［適用例７］本適用例に記載の電気泳動表示装置は、画素電極を有する第１の基板と、
前記第１の基板に対向する第２の基板と、前記第１の基板と前記第２の基板との間隙を複数のセルに区画する隔壁と、前記複数のセルに充填された電気泳動粒子を含む分散媒と、を含み、前記画素電極が配置された領域に、基準点または基準線を有し、前記隔壁は、第５の側壁と、前記基準点または前記基準線に対して前記第５の側壁よりも遠い第６の側壁と、を有し、前記第５の側壁は、前記第１の基板に対して順テーパーとなるように設けられ、前記第５の側壁と前記第１の基板とがなす角度は、４５度〜６０度の範囲にあり、前記第６の側壁は、前記第１の基板に対して順テーパーとなるように設けられ、前記第６の側壁と前記第１の基板とがなす角度は、４５度〜６０度の範囲にあることを特徴とする。
【００３１】
本適用例によれば、第１の基板と第２の基板との間に隔壁が設けられ、第１の基板と第２の基板との間隙が複数のセルに区画される。さらに、第１の基板と第２の基板との間で電気泳動粒子を含む分散媒を流動させて、電気泳動粒子を含む分散媒を複数のセルに充填する。詳しくは、電気泳動粒子を含む分散媒の流動の起点となる部分、つまり本適用例における基準点または基準線に電気泳動粒子を含む分散媒を塗布し、電気泳動粒子を含む分散媒を流動の起点となる部分から流動させて、複数のセルに充填する。換言すれば、流動の起点となる部分に塗布された電気泳動粒子を含む分散媒を、第１の基板と第２の基板との間に設けられた隔壁を乗り越えるように流動させて、複数のセルに充填する。
【００３２】
一方、分散媒中に分散されている電気泳動粒子は、重力の影響を受け、重力が作用する方向に流動しやすく、重力が作用する方向と反対方向に流動しにくい。このため、電気泳動粒子は隔壁を乗り越えて流動しにくい、つまり隔壁によって電気泳動粒子の流動が阻害される。例えば、隔壁によって電気泳動粒子の流動が強く阻害されると、隔壁を乗り越えて流動する前と、隔壁を乗り越えて流動した後とで、電気泳動粒子の濃度のムラが生じ、当該濃度のムラが表示のムラとなり、表示品位の低下を招く恐れがある。
【００３３】
隔壁は、基準点または基準線に近い側の第５の側壁と、基準点または基準線に遠い側の第６の側壁とを有している。
電気泳動粒子を含む分散媒を、基準点または基準線を起点として流動させる場合、電気泳動粒子を含む分散媒は、第５の側壁から第６の側壁に向けて流動する。このため、電気泳動粒子を含む分散媒が隔壁を乗り越える際に、電気泳動粒子は、最初に第５の側壁に沿って上方（重力が作用する方向と反対方向）に流動し、続いて第６の側壁に沿って下方（重力が作用する方向）に流動することなる。よって、電気泳動粒子の流動は第５の側壁で阻害されやすく、第６の側壁で阻害されにくくなる。
【００３４】
ところが、基準点または基準線と異なる位置に、電気泳動粒子を含む分散媒が塗布された場合、電気泳動粒子を含む分散媒は、基準点または基準線と異なる位置を起点として流動することになる。この場合、第５の側壁から第６の側壁に向けて電気泳動粒子を含む分散媒が流動する領域に加えて、第６の側壁から第５の側壁に向けて電気泳動粒子を含む分散媒が流動する領域が生じることになる。電気泳動粒子を含む分散媒が第６の側壁から第５の側壁に向けて流動すると、電気泳動粒子は第６の側壁に沿って上方（重力作用する方向と反対方向）に流動した後、第５の側壁に沿って下方（重力が作用する方向）に流動するため、電気泳動粒子の流動は第６の側壁で阻害されやすく、第５の側壁で阻害されにくくなる。このため、基準点または基準線に近い側の第５の側壁に加えて、基準点または基準線に遠い側の第６の側壁によっても、電気泳動粒子の流動が阻害されることになる。
【００３５】
第５の側壁と第１の基板とがなす角度、及び第６の側壁と第１の基板とがなす角度は、共に４５度〜６０度の範囲にある。つまり、第５の側壁及び第６の側壁は、電気泳動粒子を含む分散媒の流動を阻害しにくい緩勾配となっている。よって、基準点または基準線に塗布された電気泳動粒子を含む分散媒を、基準点または基準線と異なる位置から、隔壁（第５の隔壁、第６の隔壁）を乗り越えるように流動させても、電気泳動粒子の濃度のムラが生じにくくなる。従って、複数のセルに充填された電気泳動粒子の濃度のムラが抑制され、均一な表示、すなわち高品位な表示を提供することができる。
【００３６】
［適用例８］本適用例の電子機器は、上記適用例に記載の電気泳動表示装置を備えていることを特徴とする。
【００３７】
本適用例によれば、上記適用例に記載の電気泳動表示装置を備えているので、電気泳動粒子の濃度のムラに起因する表示ムラが抑制された高品位な表示を有する、例えば、腕時計、電子ペーパー、電子ノート、電子書籍、携帯電話、携帯用オーディオ機器などの各種電子機器に、上記適用例に記載の電気泳動表示装置を適用し、高品位な表示を提供することができる。
【００３８】
［適用例９］本適用例に係る電気泳動表示装置の製造方法は、画素電極を有する第１の基板と、第２の基板と、前記第１の基板と前記第２の基板との間隙を複数のセルに区画する隔壁と、前記複数のセルに充填された電気泳動粒子を含む分散媒と、を含み、前記画素電極が配置された領域に基準点または基準線を有し、前記隔壁は、第１の側壁と、前記基準点または前記基準線に対して前記第１の側壁よりも遠い第２の側壁とを有する電気泳動表示装置の製造方法であって、前記第１の基板に対する前記第１の側壁の勾配が、前記第１の基板に対する前記第２の側壁の勾配と比べて緩勾配となるように、前記第１の基板または前記第２の基板のうちの一方の基板に前記隔壁を形成する工程と、前記一方の基板の側に前記分散媒を吐出し、前記基準点または前記基準線を含む塗布領域に前記分散媒を塗布する工程と、前記第１の基板または前記第２の基板のうちの他方の基板を、前記一方の基板に貼り合せ、前記分散媒を流動させて前記複数のセルに前記分散媒を充填する工程と、を有していることを特徴とする。
【００３９】
本適用例に係る電気泳動表示装置の製造方法では、第１の基板または第２の基板のうちの一方の基板に、隔壁を形成する。続いて、電気泳動粒子を含む分散媒を、第１の基板または第２の基板のうちの一方の基板の側の基準点または基準線に吐出し、基準点または基準線を起点として流動させて、塗布領域及び複数のセルに配置する。つまり、電気泳動粒子を含む分散媒を、基準点または基準線を起点として隔壁を乗り越えるように流動させて、塗布領域及び複数のセルに配置する。
【００４０】
隔壁は、流動の起点となる基準点または基準線に近い側の第１の側壁と、流動の起点となる基準点または基準線に遠い側の第２の側壁とを有している。分散媒を塗布する工程及び分散媒を充填する工程では、電気泳動粒子を含む分散媒は、第１の側壁から第２の側壁に向けて流動する。このため、分散媒を塗布する工程及び分散媒を充填する工程では、電気泳動粒子は、第１の側壁に沿って上方（重力が作用する方向と反対方向）に流動した後、第２の側壁に沿って下方（重力が作用する方向）に流動する。よって、電気泳動粒子の流動は、第１の側壁で阻害されやすく、第２の側壁で阻害されにくくなる。
【００４１】
隔壁を形成する工程では、素子基板に対する第１の側壁の勾配が、素子基板に対する第２の側壁の勾配よりも緩勾配である部分を有するように隔壁を形成している。つまり、第１の側壁の勾配が緩勾配となるように形成しているので、第１の側壁の勾配が急勾配となるように形成した場合と比べて、第１の側壁において電気泳動粒子の流動が阻害されにくい。つまり、第１の側壁の勾配を緩勾配とすることで、電気泳動粒子は隔壁（第１の側壁）を乗り越えて流動しやすくなる。よって、流動の起点となる部分に塗布された電気泳動粒子を含む分散媒を、隔壁を乗り越えるように流動させて、塗布領域及び複数のセルに配置する際に、電気泳動粒子の濃度のムラが生じにくくなる。従って、複数のセルに充填された電気泳動粒子の濃度のムラが抑制され、均一な表示、すなわち高品位な表示を提供することができる。
【００４２】
［適用例１０］本適用例に係る電気泳動表示装置の製造方法は、少なくとも第１の方向に配置された画素電極と、前記画素電極を有する第１の基板と、第２の基板と、前記第１の基板と前記第２の基板との間隙を複数のセルに区画する隔壁と、前記複数のセルに充填された電気泳動粒子を含む分散媒と、を含み、前記隔壁は、第１の側壁と、前記第１の側壁に対して前記第１の方向の側に配置される第２の側壁と、を有する電気泳動表示装置の製造方法であって、前記第１の基板に対する前記第１の側壁の勾配が、前記第１の基板に対する前記第２の側壁の勾配と比べて緩勾配となるように、前記第１の基板または前記第２の基板のうちの一方の基板に前記隔壁を形成する工程と、前記一方の基板の側に前記分散媒を吐出し、前記第１の基板または前記第２の基板のうちの他方の基板を前記一方の基板に重ね合せ、塗布された前記分散媒を前記第１の方向に流動させて前記複数のセルに充填し、前記一方の基板と前記他方の基板とを貼り合せる工程と、を有していることを特徴とする。
【００４３】
本適用例に係る電気泳動表示装置の製造方法では、第１の基板または第２の基板のうちの一方の基板に、隔壁を形成する。続いて、電気泳動粒子を含む分散媒を、第１の基板または第２の基板のうちの一方の基板の側に吐出し、第１の基板または第２の基板のうちの他方の基板を重ね合せ、電気泳動粒子を含む分散媒を第１の方向に流動させて、複数のセルに充填する。
【００４４】
隔壁は、第１の側壁と、第１の側壁に対して第１の方向の側に配置される第２の側壁とを有している。電気泳動粒子を含む分散媒を、第１の方向、つまり第１の側壁から第２の側壁に向かう方向に流動させるので、電気泳動粒子を含む分散媒は、第１の側壁に沿って上方（重力が作用する方向と反対方向）に流動した後、第２の側壁に沿って下方（重力が作用する方向）に流動する。よって、電気泳動粒子の流動は、第１の側壁で阻害されやすく、第２の側壁で阻害されにくくなる。
【００４５】
隔壁を形成する工程では、素子基板に対する第１の側壁の勾配が、素子基板に対する第２の側壁の勾配よりも緩勾配である部分を有するように隔壁を形成している。つまり、第１の側壁の勾配が緩勾配となるように形成しているので、第１の側壁の勾配が急勾配となるように形成した場合と比べて、第１の側壁において電気泳動粒子の流動が阻害されにくい。つまり、第１の側壁の勾配を緩勾配とすることで、電気泳動粒子は隔壁（第１の側壁）を乗り越えて流動しやすくなる。よって、流動の起点となる部分に塗布された電気泳動粒子を含む分散媒を、隔壁を乗り越えるように流動させて、塗布領域及び複数のセルに配置する際に、電気泳動粒子の濃度のムラが生じにくくなる。従って、複数のセルに充填された電気泳動粒子の濃度のムラが抑制され、均一な表示、すなわち高品位な表示を提供することができる。
【００４６】
［適用例１１］上記適用例に係る電気泳動表示装置の製造方法は、前記隔壁を形成する工程では、前記第１の基板となす角度が４５度〜６０度の範囲となるように、前記第１の基板に対して順テーパーの前記第１の側壁を形成し、前記第１の基板となす角度が８５度〜１０５度の範囲となるように、前記第１の基板に対して順テーパー、垂直、または逆テーパーの前記第２の側壁を形成することが好ましい。
【００４７】
第１の側壁は、電気泳動粒子を含む分散媒の流動を阻害しやすいので、第１の基板に対する第１の側壁の勾配を、第１の基板に対する第２の側壁の勾配と比べて緩勾配となるように形成し、第１の側壁によって電気泳動粒子を含む分散媒の流動が阻害されにくくすることが好ましい。このため、第１の基板に対して順テーパーとなるように傾斜し、第１の基板となす角度が４５度〜６０度の範囲となるように、第１の側壁を形成することが好ましい。
【００４８】
第２の側壁は、電気泳動粒子を含む分散媒の流動を阻害しにくいので、第１の基板に対する第２の側壁の勾配を、第１の基板に対する第１の側壁の勾配と比べて急勾配にすることができる。さらに、隔壁の面積（非表示領域の面積）を小さくするためには、第２の側壁は急勾配であることが好ましい。このため、第１の基板に対して順テーパー、垂直、または逆テーパーとなるように傾斜し、第１の基板とがなす角度が８５度〜１０５度の範囲となるように、第２の側壁を形成することが好ましい。
【００４９】
［適用例１２］上記適用例に係る電気泳動表示装置の製造方法では、前記隔壁を形成する工程は、インプリント法を用いて前記隔壁を形成することが好ましい。
【００５０】
インプリント法では、例えば未硬化状態の光硬化性樹脂や熱可塑性樹脂に、凹部（隔壁の形状）を設けた金型を押し付けた状態で光硬化性樹脂や熱可塑性樹脂を硬化させ、金型に設けられた凹部の形状を光硬化性樹脂や熱可塑性樹脂などに転写して、隔壁を形成する。インプリント法は、フォトリソ法やエッチング法と比べて、高アスペクト比のパターン転写や大面積への一括転写が容易であるので、優れた生産性を有する。つまり、インプリント法によって、フォトリソ法やエッチング法と比べて、効率的に（優れた生産性で）隔壁を形成することができる。
【００５１】
［適用例１３］上記適用例に係る電気泳動表示装置の製造方法では、前記分散媒を塗布する工程は、点状または線状に前記分散媒を吐出する吐出部を有する吐出装置を用いて、前記分散媒を前記基準点または前記基準線に吐出して、前記塗布領域に前記分散媒を塗布することが好ましい。
【００５２】
点状または線状に吐出する吐出部を有する吐出装置を用いて、電気泳動粒子を含む分散媒を、第１の基板または第２の基板のうちの一方の基板の側の基準点または基準線に吐出し、基準点または基準線から隔壁を乗り越えるように流動させて、塗布領域に配置（塗布）する。当該分散媒の流動が阻害されないように隔壁が形成されている、隔壁を乗り越えるように当該分散媒を流動させても、電気泳動粒子の濃度のムラが生じにくい。
【００５３】
［適用例１４］上記適用例に係る電気泳動表示装置の製造方法では、前記分散媒を塗布する工程は、線状に前記分散媒を吐出する吐出部を有する吐出装置を用いて、前記塗布領域の一辺に沿って前記吐出部を移動させながら前記分散媒を吐出して、前記塗布領域に前記分散媒を塗布することが好ましい。
【００５４】
線点に吐出する吐出部を、塗布領域の一辺に沿って移動させながら電気泳動粒子を含む分散媒を吐出して、当該分散媒を塗布領域の全体に配置（塗布）する。当該分散媒を塗布領域の全体に配置するので、当該分散媒を基準点または基準線から流動させて塗布領域に配置する場合と比べて、塗布領域における当該分散媒の流動が軽微になる。よって、塗布領域における電気泳動粒子の濃度のムラが軽微になる（生じにくくなる）。
【図面の簡単な説明】
【００５５】
【図１】実施形態１に係る電気泳動表示装置の斜視図。
【図２】図１のＡ１−Ａ１’における表示パネルの概略断面図。
【図３】（ａ）は図２の破線で囲まれた領域Ｂにおける概略断面図。（ｂ）は図２の破線で囲まれた領域Ｃにおける概略断面図。
【図４】隔壁及び額縁隔壁の平面的な形状を示す模式平面図。
【図５】表示パネルの製造方法を示す工程フロー。
【図６】主な工程を経た後の表示パネルの状態を示す概略断面図。
【図７】分散媒の流動の状態を示す模式平面図。
【図８】実施形態２に係る電気泳動表示装置における隔壁及び額縁隔壁の平面的な形状を示す模式平面図。
【図９】図８のＡ２−Ａ２’における表示パネルの概略断面図。
【図１０】表示パネルの製造方法を示す工程フロー。
【図１１】分散媒を塗布しながら対向基板を素子基板に貼り合せる工程の状態を示す模式図。
【図１２】分散媒が塗布された初期の状態を示す模式図。
【図１３】実施形態３に係る電気泳動表示装置における隔壁及び額縁隔壁の平面的な形状を示す模式平面図。
【図１４】図１３のＡ３−Ａ３’における表示パネルの概略断面図。
【図１５】実施形態４に係る電気泳動表示装置における隔壁及び額縁隔壁の平面的な形状を示す模式平面図。
【図１６】素子基板に分散媒を塗布する工程の状態を模式的に示す斜視図。
【図１７】対向基板を素子基板に貼り合せる工程における分散媒の流動の状態を模式的に示す平面図。
【図１８】実施形態５に係る電気泳動表示装置における隔壁及び額縁隔壁の平面的な形状を示す模式平面図。
【図１９】分散媒の流動の状態を示す模式平面図。
【図２０】実施形態６に係る電気泳動表示装置における隔壁及び額縁隔壁の平面的な形状を示す模式平面図。
【図２１】（ａ）は、図２０のＡ４−Ａ４’における表示パネルの概略断面図。（ｂ）は、（ａ）の破線で囲まれた領域Ｇの概略断面図。
【図２２】実施形態７に係る電子書籍の斜視図。
【発明を実施するための形態】
【００５６】
以下、本発明の実施形態について、図面を参照して説明する。なお、以下の各図においては、各層や各部位を認識可能な程度の大きさにするため、各層や各部位の尺度を実際とは異ならせしめてある。
【００５７】
（実施形態１）
「電泳動表示装置の概要」
図１は、実施形態１に係る電気泳動表示装置の斜視図である。まず、図１を参照して本実施形態に係る電気泳動表示装置２００の概要について説明する。
【００５８】
電気泳動表示装置２００は、表示パネル１００と、当該表示パネル１００の一端に接続されたフレキシブル基板１１０などから構成されている。
表示パネル１００は、共通電極２１が形成された対向基板２と、素子層１１が形成された素子基板１との間に電気泳動層３０が挟持された構成を有し、対向基板２の側が表示面となる。素子基板１と対向基板２とは、電気泳動層３０に電界を印加する一対の電極基板である。素子基板１は、複数の走査線３、複数の信号線４、及び走査線３と信号線４との交点付近に形成された画素Ｐなどを備え、これらで素子層１１が形成される。画素Ｐは、薄膜トランジスター（以下、ＴＦＴと略す）７０、保持容量８０、画素電極１２などを含み、素子基板１上でマトリックス状に配置され、表示領域Ｖを構成する。電気泳動層３０は、正帯電した黒色の電気泳動粒子３３と負帯電の白色の電気泳動粒子３４とが分散された分散媒３２を有している。
なお、素子基板１は本発明における「第１の基板」の一例であり、対向基板２は本発明における「第２の基板」の一例である。
【００５９】
図中の２点鎖線で囲まれた領域は、電気泳動粒子３３，３４が分散された分散媒３２を塗布する塗布領域ＣＡである。塗布領域ＣＡは略円形状であり、中心ＣＰを有している。さらに、表示領域Ｖには基準点ＢＰが設けられている。塗布領域ＣＡの中心ＣＰが、基準点ＢＰとなる。詳細は後述するが、電気泳動粒子３３，３４が分散された分散媒３２を、基準点ＢＰ（中心ＣＰ）に滴下し（吐出し）、基準点ＢＰから流動させて、電気泳動粒子３３，３４が分散された分散媒３２を塗布領域ＣＡに形成する（塗布する）。続いて、電気泳動粒子３３，３４が分散された分散媒３２を、塗布領域ＣＡの外縁から表示領域Ｖの外縁に向けて流動させて、対向基板２と素子基板１との間隙に電気泳動粒子３３，３４が分散された分散媒３２を充填する。
【００６０】
なお、図中の破線で示すように、表示領域Ｖに基準線ＢＬを設ける構成であっても良い。つまり、電気泳動粒子３３，３４が分散された分散媒３２を、基準線ＢＬに吐出し、基準線ＢＬから流動させて、電気泳動粒子３３，３４が分散された分散媒３２を塗布領域ＣＡに形成する（塗布する）構成であっても良い。表示領域Ｖに基準線ＢＬを設ける構成では、塗布領域ＣＡの中心ＣＰは、基準線ＢＬに重なるよう配置される。
【００６１】
フレキシブル基板１１０には、表示パネル１００を駆動制御するための走査線駆動回路、信号線駆動回路、及びコントローラーなどの回路素子がＩＣ（Integrated Circuit）１２０として実装されている。走査線駆動回路は、ＴＦＴ７０のオン、オフを制御する走査信号を、素子基板１に供給する回路である。信号線駆動回路は、電気泳動層３０の泳動状態を制御する画像信号を、素子基板１に供給する回路である。コントローラーは、走査線駆動回路と信号線駆動回路とを制御する信号、及び共通電極２１の電位（以下共通電位Ｖｃｏｍと称す）を供給する回路である。
【００６２】
また、図中に示すように、フレキシブル基板１１０の一端は、表示パネル１００において素子基板１の一辺が対向基板２から張り出した領域に接続されている（貼り合わされている）。対向基板２と素子基板１とは周縁部（額縁部）で電気的に接続しており、共通電位Ｖｃｏｍが、フレキシブル基板１１０から素子基板１を介して対向基板２に供給されている。
なお、電気泳動表示装置はフレキシブル基板１１０を備えた構成に限定するものではなく、素子基板１の周縁部に走査線駆動回路、信号線駆動回路などの回路素子が形成された構成であっても良い。
【００６３】
以降、対向基板２から張り出した側の素子基板１の一辺に沿った方向をＸ方向、当該一辺に直交する素子基板１の他の一辺に沿った方向をＹ方向、及び対向基板２から素子基板１に向かう方向をＺ（＋）方向として説明する。
なお、Ｘ方向は、本発明における「第１の方向」の一例である。
【００６４】
「表示パネルの駆動方法」
次に、表示パネル１００の駆動方法を説明する。
表示領域Ｖの画素Ｐは、ＴＦＴ７０、保持容量８０、画素電極１２、電気泳動層３０、共通電極２１などで構成されている。ＴＦＴ７０を介して保持容量８０に蓄積された電荷によって、画素電極１２と共通電極２１との間に電界（電位差）が発生する。当該電界によって電気泳動層３０中の電気泳動粒子が所望の位置に泳動し、偏在することで、画素Ｐは所望の色に表示される。
【００６５】
最初に、ＩＣ１２０の走査線駆動回路から、ＴＦＴ７０をオンする走査信号が素子基板１に供給される。当該走査信号に同期して、ＩＣ１２０の信号線駆動回路から、電気泳動状態を制御する画像信号がＴＦＴ７０を介して画素電極１２と保持容量８０とに供給され、当該画像信号に基づく電荷が保持容量８０に蓄積される。ＴＦＴ７０がオフした後も、保持容量８０に蓄積された電荷は保持され、画素電極１２と共通電極２１との間に所望の電圧が印加される。
【００６６】
例えば、保持容量８０に蓄積された電荷によって、画素電極１２が共通電極２１に対して正の電位を有すると、両電極間に生じた電位差により、正帯電した黒色の電気泳動粒子３３が共通電極２１に向かって泳動し、負帯電した白色の電気泳動粒子３４は画素電極１２に向かって泳動する。その結果、共通電極２１の近傍には黒色の電気泳動粒子３３が偏在し、画素電極１２の近傍には白色の電気泳動粒子３４が偏在する。対向基板２の側が表示面となるので、画素Ｐは黒色となる。逆に、画素電極１２が共通電極２１に対して負の電位を有すると、共通電極２１の近傍には白色の電気泳動粒子３４が偏在し、画素電極１２の近傍には黒色の電気泳動粒子３３が偏在するので、画素Ｐは白色となる。
【００６７】
「表示パネルの構成」
図２は、図１のＡ１−Ａ１’における表示パネルの概略断面図、つまり基準点を通るＸ方向に沿った線で切断した場合の表示パネルの概略断面図である。図３（ａ）は図２の破線で囲まれた領域Ｂにおける概略断面図であり、図３（ｂ）は図２の破線で囲まれた領域Ｃにおける概略断面図である。図４は、隔壁及び額縁隔壁の平面的な形状を示す模式平面図である。
図２及び図３（ｂ）における二点鎖線は、基準点ＢＰの位置を示している。図４では、説明に必要な構成要素だけが図示されている。以下、図２乃至図４を参照して、本実施形態に係る表示パネル１００の概要、及び本実施形態の主な特徴点（隔壁部５０）の概要について説明する。
【００６８】
最初に、本実施形態に係る表示パネル１００の概要について説明する。
図２に示すように、表示パネル１００は、素子基板１、対向基板２、シール材３９、電気泳動層３０などから構成されている。
【００６９】
素子基板１は、基材１０や素子層１１などで構成される。基材１０は、例えばガラス、樹脂、またはシリコン基板などから構成され、本実施形態では無アルカリガラス基板を用いている。基材１０には、素子層１１が形成されている。
【００７０】
対向基板２は、基材２０、共通電極２１、封止層２２などで構成される。基材２０は、ガラス、樹脂などの透明な絶縁基板から構成され、電気泳動表示装置２００の表示面となる。本実施形態では、基材２０は無アルカリガラスを使用している。共通電極２１は、例えばＩＴＯ（Indium Tin Oxide）で構成され、基材２０の略全面に覆うように形成されている。封止層２２は、例えばエポキシ樹脂で構成され、共通電極２１を覆うように形成されている。
【００７１】
素子基板１と対向基板２とは、対向基板２の周縁部に配置された額縁状のシール材３９で接着されている。シール材３９は、例えばエポキシ樹脂で構成される。
【００７２】
電気泳動層３０は、分散媒３２、隔壁部５０、額縁隔壁６０などで構成される。分散媒３２は、電気泳動粒子３３，３４を分散させる溶媒であり、例えばシリコンオイルを使用することができる。隔壁部５０及び額縁隔壁６０は、分散媒３２に不溶な樹脂からなり、同じ工程で形成されている。額縁隔壁６０は、額縁状のシール材３９の内側に形成されている。
なお、隔壁部５０は、本発明における「隔壁」の一例である。
【００７３】
表示領域Ｖにおける素子基板１と対向基板２との間隙は、隔壁部５０によって複数のセル５５に区画されている。さらに、素子基板１と対向基板２との間隙は、額縁隔壁６０及び隔壁部５０によってダミーセル６５に区画されている。
【００７４】
隔壁部５０及び額縁隔壁６０は、対向基板２に設けられた封止層２２に接するように設けられている。電気泳動粒子３３，３４が分散された分散媒３２は、隔壁部５０及び額縁隔壁６０と封止層２２とによって、セル５５及びダミーセル６５の中に密封される。
【００７５】
図３に示すように、分散媒３２には、黒色の電気泳動粒子３３と白色の電気泳動粒子３４とが分散されている。電気泳動粒子３３，３４は、その帯電極性や帯電量に従って、共通電極２１および画素電極１２との間に形成される電界によって分散媒３２の中を移動（泳動）する性質をもった粒子である。黒色の電気泳動粒子３３は、例えばカーボンブラック、酸化銅、二酸化マンガン、アニリンブラックなどの黒色顔料からなる粒子であり、上述したように正に帯電されている。白色の電気泳動粒子３４は、例えば亜鉛華、酸化チタン、アンチモン白、硫化亜鉛などの白色顔料からなる粒子であり、上述したように負に帯電されている。
【００７６】
電気泳動粒子３３，３４の表面電荷量の制御並びに分散性の向上のために、界面活性剤、保護コロイド剤等をさらに添加してもよい。さらに、電気泳動粒子３３，３４は黒、白に限定されず、赤、青、黄などの他の色調の粒子であっても良い。電気泳動粒子の種類も２種類に限定するものではなく、１種類でも、３種類でも良い。
【００７７】
次に、本実施形態の主な特徴点である隔壁部５０の概要について説明する。
図３に示すように、隔壁部５０（隔壁５１，５２）は、画素電極１２と重なるように設けられ、隔壁部５０（隔壁５１，５２）で囲まれた領域がセル５５となる。つまり、セル５５は、複数の画素電極１２（画素Ｐ）に跨って形成されている。このため、画素電極１２は、隔壁部５０（隔壁５１，５２）と接する部分と、分散媒３２と接する部分とを有する。画素電極１２と隔壁部５０とが接する部分（隔壁部５０が設けられた領域）は、表示に寄与しない領域（非表示領域）となる。画素電極１２と分散媒３２とが接する部分は、表示に寄与する領域となる。より優れた表示（明るい表示）を提供するためには、隔壁部５０が設けられた領域（非表示領域）の面積は、小さい方が好ましい。
なお、セル５５は、画素電極１２（画素Ｐ）と一対一に対応するように形成しても良い。
【００７８】
隔壁部５０は、第１隔壁５１と、第２隔壁５２とで構成される。
第１隔壁５１は、側壁５１ａと、基準点ＢＰに対して側壁５１ａよりも遠い側壁５１ｂとを有する。すなわち、第１隔壁５１は、基準点ＢＰに対して近い側の側壁５１ａと、基準点ＢＰに対して遠い側の側壁５１ｂとを有する。換言すれば、隣り合うセル５５を分割する第１隔壁５１を構成する側壁の一方が側壁５１ａであり、第１隔壁５１を構成する側壁の他方が側壁５１ｂであり、側壁５１ｂは、側壁５１ａと比べて基準点ＢＰに対して遠い側に配置される。
【００７９】
素子基板１に対する側壁５１ａの勾配は、素子基板１に対する側壁５１ｂの勾配と比べて、緩勾配になっている。つまり、第１隔壁５１は、異なる勾配の側壁（側壁５１ａ、側壁５１ｂ）で構成され、非対称な断面形状を有している。基準点ＢＰに近い側の側壁５１ａと素子基板１とがなす角度θ１は、概略４５度である。基準点ＢＰに遠い側の側壁５１ｂと素子基板１とがなす角度θ２は、概略９０度である。
【００８０】
側壁５１ａは素子基板１に対して順テーパーの傾斜を有するように形成し、側壁５１ａと素子基板１とがなす角度θ１は、側壁５１ｂと素子基板１とがなす角度θ２よりも小さい方が好ましい。詳細は後述するが、側壁５１ａでは、側壁５１ａと素子基板１とがなす角度θ１が大きくなりすぎると、電気泳動粒子３３，３４が分散されている分散媒３２をセル５５に充填する際に、電気泳動粒子３３，３４に濃度のムラが生じやすくなるため好ましくない。また、側壁５１ａと素子基板１とがなす角度θ１が小さくなりすぎると、隔壁部５０の面積（非表示領域の面積）が大きくなりすぎるため、好ましくない。このため、側壁５１ａと素子基板１とがなす角度θ１は、４５度〜６０度の範囲が好ましい。
【００８１】
側壁５１ｂは、素子基板１に対して順テーパー、垂直、または逆テーパーの傾斜を有するように形成し、側壁５１ｂと素子基板１とがなす角度θ２は、側壁５１ａと素子基板１とがなす角度θ１よりも大きい方が好ましい。詳細は後述するが、側壁５１ｂでは、電気泳動粒子３３，３４が分散されている分散媒３２をセル５５に充填する際に、電気泳動粒子３３，３４の濃度のムラが生じにくいので、側壁５１ｂと素子基板１とがなす角度θ２を大きくすることができる。隔壁部５０が設けられた領域（非表示領域）の面積を小さくするためには、側壁５１ｂは、素子基板１に対して急峻な傾斜を有することが好ましいので、側壁５１ｂと素子基板１とがなす角度θ２は、８５度〜１０５度の範囲が好ましい。
なお、側壁５１ａは本発明における「第１の側壁」の一例であり、側壁５１ｂは本発明における「第２の側壁」の一例である。
【００８２】
第２隔壁５２は、基準点ＢＰに重なり、略同じ勾配の一対の側壁５２ａ，５２ｂを有している。側壁５２ａと素子基板１とがなす角度θ３、及び側壁５２ｂと素子基板１とがなす角度θ４は、共に概略９０度である。
【００８３】
詳細は後述するが、第２隔壁５２の側壁５２ａ，５２ｂは、第１隔壁５１の側壁５１ｂと同様に、電気泳動粒子３３，３４が分散されている分散媒３２をセル５５に充填する際に、電気泳動粒子３３，３４の濃度のムラを引き起こしにくいので、側壁５２ａ，５２ｂと素子基板１とがなす角度θ３，θ４を大きくすることができる。隔壁部５０が設けられた領域（非表示領域）の面積を小さくするためには、第２隔壁５２の側壁５２ａ，５２ｂは、素子基板１に対して急峻な傾斜を有することが好ましい。つまり、第２隔壁５２の一対の側壁５２ａ，５２ｂは、素子基板１に対して順テーパー、垂直、または逆テーパーに傾斜し、側壁５２ａと素子基板１とがなす角度θ３、及び側壁５２ｂと素子基板１とがなす角度θ４は、８５度〜１０５度の範囲が好ましい。
なお、側壁５２ａ及び側壁５２ｂは、本発明における「一対の側壁」の一例である。
【００８４】
額縁隔壁６０（図２）は、略同じ勾配の一対の側壁を有している。額縁隔壁６０における一対の側壁と素子基板１とがなす角度は概略９０度である。
【００８５】
図４に示すように、Ｚ方向から見て、隔壁部５０の外縁は矩形状を有し、隔壁部５０（セル５５）が設けられた領域が表示領域Ｖとなる。Ｚ方向から見て、額縁隔壁６０は矩形状を有し、隔壁部５０の外縁（表示領域Ｖ）を囲むように設けられている。額縁隔壁６０と隔壁部５０の外縁との間の領域がダミー領域Ｄ（ダミーセル６５）となる。
【００８６】
詳細は後述するが、塗布領域ＣＡ（図１参照）に塗布された分散媒３２を、塗布領域ＣＡからダミー領域Ｄに向かう方向に流動させ、表示領域Ｖのセル５５に分散媒３２を充填する。セル５５に分散媒３２を充填する際に、余分な分散媒３２はダミーセル６５に充填される。つまり、分散媒３２をセル５５に充填する際に、余分な分散媒３２を蓄える領域がダミー領域Ｄとなる。
【００８７】
隔壁部５０は、実線で示された第１隔壁５１と、破線で示された第２隔壁５２とで構成される。第１隔壁５１は、基準点ＢＰと離れて配置されている。第２隔壁５２は、基準点ＢＰと重なるように配置されている。第１隔壁５１で囲まれた領域、または第１隔壁５１と第２隔壁５２とで囲まれた領域が、セル５５となる。セル５５も矩形状を有している。
なお、セル５５の形状は、矩形状に限定されず、例えば三角形状や六角形状などであっても良い。
【００８８】
「表示パネルの製造方法」
図５は、表示パネルの製造方法を示す工程フローである。図６は、図２に対応し、図５に示す主な工程を経た後の表示パネルの状態を示す概略断面図である。図７は、図４に対応し、分散媒３２の流動の状態を示す模式平面図である。
なお、図６及び図７では説明に必要な構成要素だけが図示されている。例えば、図６では、素子基板１に設けられた素子層１１（ＴＦＴ７０、画素電極１２など）の図示が省略されている。
以下に、図５乃至図７を参照して、表示パネル１００の製造方法の概要を説明する。
【００８９】
図５に示すよう、表示パネル１００を製造する工程は、素子基板１にＴＦＴ７０や画素電極１２を形成する工程（ステップＳ１）と、素子基板１に樹脂材料４１を塗布する工程（ステップＳ２）と、隔壁部５０を形成する工程（ステップＳ３）と、素子基板１にシール材３９を形成する工程（ステップＳ４）と、素子基板１に分散媒３２を塗布する工程（ステップＳ５）と、対向基板２に共通電極２１を形成する工程（ステップＳ７）と、対向基板２に封止層２２を形成する工程（ステップＳ８）と、対向基板２を素子基板１に貼り合せる工程（ステップＳ１１）と、シール材３９を硬化する工程（ステップＳ１２）と、を含んでいる。
【００９０】
ステップＳ１では、無アルカリガラス基板からなる基材１０の上に、ＴＦＴ７０や、ＩＴＯなどの光透過性材料からなる画素電極１２などを形成する。具体的には、公知の成膜技術、フォトリソグラフィ技術及びエッチング技術などを用いて、基材１０上にＴＦＴ７０や画素電極１２などを形成する。
【００９１】
ステップＳ２では、図６（ａ）に示すように、例えばディスペンサー、インクジェット、印刷などの方法を用いて、光硬化性を有するエポキシ樹脂やアクリル樹脂などからなる樹脂材料４１を、素子基板１に塗布する。
【００９２】
ステップＳ３では、図６（ｂ）に示すように、第１隔壁５１や第２隔壁５２に対応する形状の凹部が設けられた金型４５を、樹脂材料４１が形成された素子基板１に押し付け、金型４５の凹部に樹脂材料４１が充填された状態で素子基板１の側から矢印で示す紫外光ＵＶを照射し、金型４５の凹部に充填した樹脂材料４１を硬化し、隔壁部５０を形成する。同時に、額縁隔壁６０も形成する。つまり、金型４５に設けられた凹部の形状を樹脂材料４１に転写するインプリント法で、隔壁部５０及び額縁隔壁６０を形成する。
【００９３】
つまり、ステップＳ２及びステップＳ３に示すインプリント法によって、異なる勾配の側壁５１ａ，５１ｂを有する第１隔壁５１と、同じ勾配の側壁５２ａ，５２ｂを有する第２隔壁５２と、同じ勾配の一対の側壁を有する額縁隔壁６０とを、一括形成する。
上述したように、第１隔壁５１において、側壁５１ａと素子基板１とがなす角度θ１は概略４５度であり、側壁５１ｂと素子基板１とがなす角度θ２は概略９０度である。第２隔壁５２において、側壁５２ａと素子基板１とがなす角度θ３、及び側壁５２ｂと素子基板１とがなす角度θ４は、共に概略９０度である。額縁隔壁６０において、一対の側壁と素子基板１とがなす角度は、概略９０度である。
【００９４】
なお、樹脂材料４１に熱可塑性樹脂を使用し、加熱することで軟化した状態の樹脂材料４１に凹部を設けた金型４５を押し付けて、金型４５に設けられた凹部の形状を樹脂材料４１に転写するインプリント法で、隔壁部５０及び額縁隔壁６０を形成しても良い。さらに、樹脂材料４１に感光性樹脂を使用し、露光量を制御しながら樹脂材料４１に露光・現像を施すフォトリソ法で、異なる勾配の側壁を有する隔壁部５０、及び額縁隔壁６０を形成しても良い。さらに、樹脂材料４１をエッチングするエッチング法で、異なる勾配の側壁を有する隔壁部５０、及び額縁隔壁６０を形成しても良い。
インプリント法は、フォトリソ法やエッチング法と比べて、高アスペクト比のパターン転写や大面積への一括転写が容易であるので、優れた生産性を有する。
【００９５】
ステップＳ４では、図６（ｃ）に示すように、例えばディスペンサー（図示省略）を用いて、素子基板１の周縁部にシール材３９を形成する。シール材３９には、例えば光硬化性を有するエポキシ樹脂やアクリル樹脂などを使用することができる。
【００９６】
ステップＳ５では、図６（ｄ）に示すように、点状に吐出する吐出部４６を有する吐出装置（図示省略）を用いて、電気泳動粒子３３，３４が分散されている分散媒３２を素子基板１の基準点ＢＰ（塗布領域ＣＡの中心ＣＰ）に向けて吐出する（滴下する）。続いて、吐出部４６から吐出される際に印加された力や自重によって、電気泳動粒子３３，３４が分散されている分散媒３２は、分散媒３２が滴下される部分（基準点ＢＰ）から、塗布領域ＣＡの外縁に向けて流動する。つまり、ステップＳ５では、電気泳動粒子３３，３４が分散されている分散媒３２を、基準点ＢＰを起点として分散媒３２の吐出方向（Ｚ（＋）方向）に交差する方向に流動させて、塗布領域ＣＡに塗布する（配置する）。
詳しくは、吐出部４６から吐出される分散媒３２は、Ｚ（＋）方向と交差する方向に広がった部分（領域）を有する液滴として、素子基板１に滴下される。つまり、Ｚ（＋）方向と交差する方向に広がった部分（領域）を有する分散媒３２の液滴が、素子基板１に滴下され、当該液滴が滴下された部分から広がって、塗布領域ＣＡが形成される。
【００９７】
本実施形態では、塗布領域ＣＡの中心ＣＰを基準点ＢＰとした。つまり、Ｚ（＋）方向と交差する方向に広がった部分（領域）を有する分散媒３２の液滴が、素子基板１に滴下された部分の一部を、基準点ＢＰとした。基準点ＢＰは、当該分散媒３２が滴下される部分（領域）の中に配置されれば良く、例えば基準点ＢＰは、点であっても良く、領域を有する面であっても良い。
【００９８】
なお、ステップＳ５では、素子基板１の基準点ＢＰの位置に、電気泳動粒子３３，３４が分散されている分散媒３２の液滴を滴下することが重要である。つまり、電気泳動粒子３３，３４が分散されている分散媒３２を、素子基板１の基準点ＢＰの位置に滴下し、基準点ＢＰを起点として流動させることが重要である。
【００９９】
図７に示すように、基準点ＢＰに向けて吐出された分散媒３２及び電気泳動粒子３３，３４は、破線で示された矢印の方向、つまり基準点ＢＰを中心（起点）とした円形状に広がって（流動して）、塗布領域ＣＡを覆う。上述したように、隔壁部５０は、実線で示された第１隔壁５１と、破線で示された第２隔壁５２とで構成される。第１隔壁５１は、分散媒３２及び電気泳動粒子３３，３４の流動方向（破線で示された矢印）と交差するように配置されている。第２隔壁５２は、分散媒３２及び電気泳動粒子３３，３４の流動方向（破線で示された矢印）に沿って設けられている。このため、分散媒３２及び電気泳動粒子３３，３４は、第１隔壁５１の側壁５１ａ，５１ｂを乗り越えて、基準点ＢＰから塗布領域ＣＡの外縁に向けて流動する。
【０１００】
図６（ｄ）に戻って、分散媒３２及び電気泳動粒子３３，３４の流動の状態を、さらに詳しく説明する。ステップＳ４では、基準点ＢＰに滴下された分散媒３２及び電気泳動粒子３３，３４は、基準点ＢＰを起点として基準点ＢＰから塗布領域ＣＡの外縁に向かう方向に流動する。表示領域Ｖには、素子基板１に対してＺ（−）方向に突出した隔壁部５０が設けられているので、分散媒３２及び電気泳動粒子３３，３４は、隔壁部５０の第１隔壁５１の段差（側壁５１ａ，５１ｂ）を乗り越えて流動して、塗布領域ＣＡに塗布される。詳しくは、図中の矢印で示すように、分散媒３２及び電気泳動粒子３３，３４は、基準点ＢＰに近い側の側壁５１ａをＺ（−）方向に乗り越え、さらに基準点ＢＰに遠い側の側壁５１ｂをＺ（＋）方向に乗り越えて流動する。このため、電気泳動粒子３３，３４は、側壁５１ａに沿ってＺ（−）方向（重力が作用する方向と反対方向）に流動した後、側壁５１ｂに沿ってＺ（＋）方向（重力が作用する方向）に流動する。
【０１０１】
一方、電気泳動粒子３３，３４には、重力が作用しているので、重力の影響を受ける。つまり、電気泳動粒子３３，３４は、重力の影響を受けて、重力が作用する方向（Ｚ（＋）方向）に沈降（流動）しやすく、重力が作用する方向と反対方向（Ｚ（−）方向）に流動しにくい。電気泳動粒子３３，３４は、側壁５１ａに沿って重力が作用する方向と反対方向（Ｚ（−）方向）に流動するので、基準点ＢＰに近い側の側壁５１ａでは、電気泳動粒子３３，３４の流動（移動）が阻害されやすい。電気泳動粒子３３，３４は、側壁５１ｂに沿って重力が作用する方向（Ｚ（＋）方向）流動するので、基準点ＢＰに遠い側の側壁５１ｂでは、電気泳動粒子３３，３４の流動（移動）が阻害されにくい。例えば、側壁５１ａで電気泳動粒子３３，３４の流動が強く阻害されると、当該側壁５１ａにおいて電気泳動粒子３３，３４が滞留し、当該側壁５１ａを乗り越えて流動する前と、当該側壁５１ａを乗り越えて流動した後とで、電気泳動粒子３３，３４に濃度のムラが生じる。つまり、電気泳動粒子３３，３４の流動方向に沿って、セル５５に充填された電気泳動粒子３３，３４の濃度のムラが生じる。仮に、電気泳動粒子３３，３４の流動方向に沿って電気泳動粒子３３，３４の濃度のムラが生じると、表示の濃淡のムラ（表示ムラ）という表示上の不具合になる。
【０１０２】
素子基板１に対する側壁５１ａの勾配は、素子基板１に対する側壁５１ｂの勾配と比べて緩勾配となるように、第１隔壁５１（隔壁部５０）を形成しているので、電気泳動粒子３３，３４は側壁５１ａを重力が作用する方向と反対方向（Ｚ（−）方向）に乗り越えて流動しやすくなっている。すなわち、基準点ＢＰに近い側の側壁５１ａの素子基板１に対する勾配を緩勾配とすることで、電気泳動粒子３３，３４の流動が阻害されにくくなり、セル５５に充填される電気泳動粒子３３，３４の濃度のムラ、つまり表示上の不具合が生じにくくなる。
【０１０３】
発明者は、素子基板１に対する側壁５１ａの勾配に関する詳細な検討を行い、セル５５に充填される電気泳動粒子３３，３４の濃度のムラを抑制するためには、側壁５１ａと素子基板１とがなす角度θ１を、６０度または６０度よりも小さくすることが好ましいという事実を見出した。つまり、側壁５１ａと素子基板１とがなす角度θ１を、６０度または６０度よりも小さくすることで、電気泳動粒子３３，３４の濃度のムラに起因する表示ムラを抑制することができるという事実を見出した。
なお、上述したように、側壁５１ａと素子基板１とがなす角度θ１を小さくしすぎると、隔壁部５０の面積（非表示領域の面積）が大きくなりすぎるので好ましくない。第１隔壁５１が設けられた領域は、表示に寄与しない領域（非表示領域）となるので、隔壁部５０の面積は小さい方が好ましい。このため、側壁５１ａと素子基板１とがなす角度θ１は、４５度または４５度よりも大きいことが好ましい。
従って、側壁５１ａと素子基板１とがなす角度θ１は、４５度〜６０度の範囲であることが好ましい。
【０１０４】
基準点ＢＰに遠い側の側壁５１ｂでは、電気泳動粒子３３，３４は重力が作用する方向（Ｚ（＋）方向）に流動するので、電気泳動粒子３３，３４の流動は阻害されにくい。このため、側壁５１ｂと素子基板１とのなす角度θ２を概略９０度と大きくしても、電気泳動粒子３３，３４の流動は阻害されにくい。
なお、隔壁部５０の面積（非表示領域の面積）を小さくするためには、側壁５１ａと素子基板１とがなす角度θ１は、８５度〜１０５度の範囲であることが好ましい。
【０１０５】
なお、線状に吐出する吐出部を有する吐出装置を用いて、分散媒３２及び電気泳動粒子３３，３４を基準線ＢＬ（図１参照）に向けて吐出する場合においても、上述した基準点ＢＰと同様の課題を有する。すなわち、電気泳動粒子３３，３４は、基準線ＢＬに近い側の側壁５１ａをＺ（−）方向に乗り越えて流動しにくく、基準線ＢＬに遠い側の側壁５１ｂをＺ（＋）方向に乗り越えて流動しやすいため、電気泳動粒子３３，３４の流動方向に沿って電気泳動粒子３３，３４の濃度のムラが生じる。このため、基準線ＢＬに近い側の側壁５１ａの素子基板１に対する勾配を、基準線ＢＬに遠い側の側壁５１ｂの素子基板１に対する勾配と比べて緩勾配とし、基準線ＢＬに近い側の側壁５１ａにおける電気泳動粒子３３，３４の流動を阻害されにくくすることで、電気泳動粒子３３，３４の濃度のムラに起因する表示ムラを生じにくくすることができる。
【０１０６】
第２隔壁５２は、分散媒３２及び電気泳動粒子３３，３４の流動方向に沿って配置されているので、第２隔壁５２の段差を乗り越える電気泳動粒子３３，３４の流動は抑制されている。側壁５２ａと素子基板１とがなす角度θ３、及び側壁５２ｂと素子基板１とがなす角度θ４を、共に概略９０度に形成しても、電気泳動粒子３３，３４の流動は阻害されにくく、電気泳動粒子３３，３４の濃度のムラに起因する表示ムラが抑制される。加えて、第２隔壁５２も表示に寄与しない非表示領域となるので、隔壁部５０の面積（非表示領域の面積）を小さくすることができるという効果を得ることができる。
なお、隔壁部５０の面積（非表示領域の面積）を小さくするためには、側壁５２ａと素子基板１とがなす角度θ３、及び側壁５２ｂと素子基板１とがなす角度θ４は、８５度〜１０５度の範囲であることが好ましい。
【０１０７】
ステップＳ７では、基材２０の上に、公知技術を用いてＩＴＯからなる共通電極２１を形成する。共通電極２１は、基材２０の略全面を覆うように形成する。
【０１０８】
ステップＳ８では、公知技術を用いて、共通電極２１の上にエポキシ樹脂からなる封止層２２を形成する。封止層２２は、共通電極２１の略全面を覆うように形成する。
【０１０９】
ステップＳ１１では、図６（ｅ）に示すように、対向基板２を素子基板１に貼り合せて、対向基板２と素子基板１との間隙を隔壁部５０で区画し、セル５５を形成し、対向基板２と素子基板１との間隙を隔壁部５０と額縁隔壁６０とで区画し、ダミーセル６５を形成する。さらに、対向基板２を素子基板１に押圧することで、図７における実線の矢印で示すように、分散媒３２及び電気泳動粒子３３，３４を塗布領域ＣＡからダミー領域Ｄの外縁に向けて流動させ、分散媒３２及び電気泳動粒子３３，３４をセル５５に充填する。余分な分散媒３２及び電気泳動粒子３３，３４は、表示領域Ｖからダミー領域Ｄに向けて流動し、ダミーセル６５に充填される。
【０１１０】
分散媒３２及び電気泳動粒子３３，３４が、塗布領域ＣＡからダミー領域Ｄの外縁に向けて流動する際にも、上述したステップＳ５と同じ課題を有する。つまり、図６（ｅ）における矢印で示すように、電気泳動粒子３３，３４は、基準点ＢＰに近い側の側壁５１ａに沿ってＺ（−）方向（重力が作用する方向と反対方向）に流動した後、基準点ＢＰに遠い側の側壁５１ｂに沿ってＺ（＋）方向（重力が作用する方向）に流動する。このため、電気泳動粒子３３，３４の流動は、基準点ＢＰに近い側の側壁５１ａで阻害されやすく、基準点ＢＰに遠い側の側壁５１ｂで阻害されにくい。
【０１１１】
素子基板１に対する側壁５１ａの勾配は、素子基板１に対する側壁５１ｂの勾配と比べて緩勾配となるように、第１隔壁５１（隔壁部５０）を形成しているので、ステップＳ１１においても電気泳動粒子３３，３４は側壁５１ａを重力が作用する方向と反対方向（Ｚ（−）方向）に乗り越えて流動しやすくなっている。すなわち、基準点ＢＰに近い側の側壁５１ａの素子基板１に対する勾配を緩勾配とすることで、電気泳動粒子３３，３４の流動が阻害されにくくなり、セル５５に充填される電気泳動粒子３３，３４の濃度のムラ、つまり表示上の不具合が生じにくくなる。よって、電気泳動粒子３３，３４の濃度のムラに起因する表示ムラが生じにくくなる。
【０１１２】
ステップＳ１２では、図６（ｆ）に示すように、対向基板２を素子基板１に押圧した状態で紫外光を照射し、シール材３９を硬化させ、対向基板２と素子基板１とを接着する。
【０１１３】
このように、本実施形態の表示パネル１００の製造方法によれば、基準点ＢＰに近い側の側壁５２ａの素子基板１に対する勾配が、基準点ＢＰに遠い側の側壁５２ｂの素子基板１に対する勾配と比べて緩勾配になるように隔壁部５０を形成するので、基準点ＢＰからダミー領域Ｄに向けて流動する分散媒３２及び電気泳動粒子３３，３４の流動が隔壁部５０で阻害されにくく、セル５５に充填される電気泳動粒子３３，３４の濃度が表示領域Ｖの全体に亘って均一になり、電気泳動粒子３３，３４の濃度のムラに起因する表示ムラを抑制し、高品位な表示を提供することができる。
【０１１４】
（実施形態２）
「表示パネルの構成」
図８は、図４に対応し、実施形態２に係る電気泳動表示装置３００における隔壁及び額縁隔壁の平面的な形状を示す模式平面図である。図９（ａ）は、図２に対応し、図８のＡ２−Ａ２’の表示パネルの概略断面図である。図９（ｂ）は、図３（ａ）に対応し、図９（ａ）の破線で囲まれた領域Ｅにおける表示パネルの概略断面図である。図１０は、表示パネルの製造方法を示す工程フローである。図１１は、分散媒を塗布しながら対向基板を素子基板に貼り合せる工程の状態を示す模式図である。図１２は、図８に対応し、分散媒が塗布された初期の状態を示す模式図である。
なお、図８乃至図１２では、説明に必要な構成要素が図示され、説明に必要のない構成要素の図示が省略されている。
【０１１５】
本実施形態に係る電気泳動表示装置３００では、表示パネル１５０の構成や製造方法が実施形態１と異なる。具体的には、隔壁部５０を構成する第１隔壁５１及び第２隔壁５２のレイアウトが、実施形態２と実施形態１とで異なる。さらに、実施形態２の製造方法では、素子基板１と対向基板２との間に分散媒３２を充填しながら、湾曲した状態の対向基板２を素子基板１に貼り合わせている、この点も実施形態１と異なる。
以下、図８及び図９を参照して、本実施形態に係る表示パネル１５０の構成を、実施形態１との相違点を中心に説明する。また、実施形態１と同一の構成部位については、同一の符号を附し、重複する説明を省略する。
【０１１６】
図８に示すように、表示パネル１５０の隔壁部５０は、第１隔壁５１と第２隔壁５２とで構成される。実線で示された第１隔壁５１はＹ方向に延在し、破線で示された第２隔壁５２はＸ方向に延在するように設けられている。第１隔壁５１と第２隔壁５２とで囲まれた領域がセル５５となる。額縁隔壁６０は、隔壁部５０の外縁（表示領域Ｖ）を囲むように設けられ、額縁隔壁６０と表示領域Ｖ（隔壁部５０の外縁）との間がダミー領域Ｄ（ダミーセル６５）となる。
【０１１７】
図９（ａ）及び図９（ｂ）に示すように、表示領域Ｖには、Ｙ方向に延在する第１隔壁５１がＸ方向に配置されている。第１隔壁５１は、緩勾配の側壁５１ａと、急勾配の側壁５１ｂとを有している。急勾配の側壁５１ｂは、緩勾配の側壁５１ａよりもＸ方向の側に配置されている。換言すれば、隣り合うセル５５を分割する第１隔壁５１を構成する側壁の一方が緩勾配の側壁５１ａであり、第１隔壁５１を構成する側壁の他方が急勾配の側壁５１ｂであり、急勾配の側壁５１ｂは、緩勾配の側壁５１ａに対してＸ方向の側に配置されている。
【０１１８】
側壁５１ａと素子基板１とがなす角度θ１は概略４５度である。詳しくは、側壁５１ａを素子基板１に対して順テーパーの傾斜を有するように形成し、側壁５１ａと素子基板１とがなす角度θ１は４５度〜６０度の範囲であることが好ましい。電気泳動粒子３３，３４の濃度のムラを抑制するためには、側壁５１ａと素子基板１とがなす角度θ１は小さい方が好ましく、本実施形態では、側壁５１ａと素子基板１とがなす角度θ１は概略４５度となっている。
【０１１９】
側壁５１ｂと素子基板１とがなす角度θ２は概略９０度である。詳細は後述するが、側壁５１ｂは、側壁５１ａと比べて電気泳動粒子３３，３４の濃度のムラに影響しにくいので、側壁５１ａよりも急勾配にすることができる。詳しくは、側壁５１ｂは、素子基板１に対して順テーパー、垂直、または逆テーパーの傾斜を有するように形成し、側壁５１ｂと素子基板１とがなす角度θ２は８５度〜１０５度の範囲であることが好ましい。非表示領域の面積（隔壁部５０が設けられた領域の面積）を小さくするためには、側壁５１ｂと素子基板１とがなす角度θ２は大きい方が好ましく、本実施形態では側壁５１ｂと素子基板１とがなす角度θ２は概略９０度となっている。
【０１２０】
図９では図示が省略されている第２隔壁５２は、一対の側壁５２ａ，５２ｂを有している。第２隔壁５２の側壁５２ａ，５２ｂも、第１隔壁５１の側壁５１ｂと同様に、電気泳動粒子３３，３４の濃度のムラに影響しにくく、急勾配にすることができる。非表示領域の面積（隔壁部５０が設けられた領域の面積）を小さくするためには、側壁５２ａ，５２ｂと素子基板１とがなす角度θ２は大きい方が好ましく、側壁５２ａ，５２ｂと素子基板１とがなす角度θ２は概略９０度となっている。なお、側壁５２ａ，５２ｂと素子基板１とがなす角度θ２は、第１隔壁５１の側壁５１ｂと同様に、８５度〜１０５度の範囲が好ましい。
【０１２１】
対向基板２は、基材２０ａ、共通電極２１、封止層２２などで構成される。基材２０ａは、透明な樹脂基板で構成されている。詳しくは、基材２０ａは、ポリエチレンテレフタラートを主成分とする樹脂フィルムで構成されている。本実施形態の対向基板２は、実施形態１の対向基板２と比べて薄く、大きな可撓性を有している、この点も実施形態１と異なる。
【０１２２】
「表示パネルの製造方法」
図１０は、表示パネルの製造方法を示す工程フローである。図１１は、分散媒を塗布し、対向基板を素子基板に貼り合せる工程の状態を示す模式図である。
以下に、図１０乃至図１１を参照して、表示パネル１５０の製造方法の概要を実施形態１との相違点を中心に説明する。
【０１２３】
図１０に示すよう、表示パネル１５０を製造する工程は、素子基板１にＴＦＴ７０や画素電極１２を形成する工程（ステップＳ２１）と、素子基板１に樹脂材料４１を塗布する工程（ステップＳ２２）と、隔壁部５０を形成する工程（ステップＳ２３）と、素子基板１にシール材３９を形成する工程（ステップＳ２４）と、対向基板２に共通電極２１を形成する工程（ステップＳ２７）と、対向基板２に封止層２２を形成する工程（ステップＳ２８）と、分散媒３２を塗布しながら対向基板２を素子基板１に貼り合せる工程（ステップＳ３１）と、シール材３９を硬化する工程（ステップＳ３２）と、を含んでいる。
【０１２４】
本実施形態におけるステップＳ２１〜ステップＳ２４は、実施形態１におけるステップＳ１〜Ｓ４と同じである。本実施形態におけるステップＳ２７及びステップＳ２８は、実施形態１におけるステップＳ７及びステップＳ８と同じである。本実施形態におけるステップＳ３２は、実施形態１におけるステップＳ１２と同じである。
【０１２５】
図１１に示すよう、ステップＳ３１では、線状に吐出する吐出部４７を有する吐出装置（図示省略）を用いて電気泳動粒子３３，３４が分散された分散媒３２を吐出しながら、対向基板２を素子基板１に貼り合わせている。詳しくは、素子基板１と対向基板２との間に電気泳動粒子３３，３４が分散された分散媒３２を吐出し、ロールラミネーター（図示省略）のロール４４で湾曲した状態の対向基板２を素子基板１に押し付け、素子基板１と対向基板２との間に分散媒３２を充填しながら、対向基板２を素子基板１に貼り合せている。
【０１２６】
図１２に示すように、ステップＳ３１では、電気泳動粒子３３，３４が分散された分散媒３２は、最初に、額縁隔壁６０のＹ方向に沿った１辺と表示領域Ｖとの間のダミーセル６５に向けて塗布される。続いて、分散媒３２の吐出位置をＸ方向に移動させながら、対向基板２を素子基板１に貼り合せている。換言すれば、分散媒３２及び電気泳動粒子３３，３４を図中の矢印の方向、つまりＸ方向に流動させながら、対向基板２を素子基板１に貼り合せている。このため、Ｘ方向が分散媒３２及び電気泳動粒子３３，３４の流動方向となる。第１隔壁５１は、分散媒３２及び電気泳動粒子３３，３４の流動方向と交差する方向に設けられている。第２隔壁５２は、分散媒３２及び電気泳動粒子３３，３４の流動方向に設けられている。このため、分散媒３２及び電気泳動粒子３３，３４は、第１隔壁５１の段差（側壁５１ａ，５１ｂ）を乗り越えながら、Ｘ方向に流動する。
【０１２７】
図１１に戻って、電気泳動粒子３３，３４の流動状態を詳しく説明する。図中の矢印で示すように、電気泳動粒子３３，３４は、Ｘ方向、つまり側壁５１ａから側壁５１ｂに向けて流動する。このため、電気泳動粒子３３，３４は、側壁５１ａに沿ってＺ（−）方向（重力が作用する方向と反対方向）に流動した後、側壁５１ｂに沿ってＺ（＋）方向（重力が作用する方向）に流動する。このため、電気泳動粒子３３，３４の流動は、側壁５１ａで阻害されやすく、側壁５１ａよりもＸ方向の側に配置されている側壁５１ｂで阻害されにくい。
【０１２８】
素子基板１に対する側壁５１ａの勾配は、素子基板１に対する側壁５１ｂの勾配と比べて緩勾配となるように、第１隔壁５１（隔壁部５０）を形成しているので、電気泳動粒子３３，３４は側壁５１ａを重力が作用する方向と反対方向（Ｚ（−）方向）に乗り越えて流動しやすくなっている。すなわち、側壁５１ａの素子基板１に対する勾配を緩勾配とすることで、電気泳動粒子３３，３４の流動が阻害されにくくなり、セル５５に充填される電気泳動粒子３３，３４の濃度のムラ、つまり表示上の不具合が生じにくくなる。よって、電気泳動粒子３３，３４の濃度のムラに起因する表示ムラが生じにくくなる。
【０１２９】
なお、第１隔壁５１の側壁５１ｂでは、電気泳動粒子３３，３４の流動が阻害されにくいので、第１隔壁５１の側壁５１ｂの勾配を側壁５１ａの勾配と比べて急勾配にすることができる。第１隔壁５１の側壁５１ｂの勾配を急勾配とすることで、隔壁部５０の面積（非表示領域の面積）を小さくすることができる。
【０１３０】
第２隔壁５２は、分散媒３２及び電気泳動粒子３３，３４の流動方向に設けられているため（図１２参照）、第２隔壁５２の側壁５２ａ，５２ｂは、第１隔壁５１の側壁５１ａ，５１ｂと比べて分散媒３２の流動を阻害しにくい。このため、第２隔壁５２の側壁５２ａ，５２ｂを、第１隔壁５１の側壁５１ｂと同様の急勾配としても、電気泳動粒子３３，３４の流動は阻害されにくく、電気泳動粒子３３，３４の濃度のムラが生じにくい。第２隔壁５２の側壁５２ａ，５２ｂを急勾配とすることで、隔壁部５０の面積（非表示領域の面積）を小さくすることができる。
【０１３１】
このように、ステップＳ３１は、素子基板１の側に電気泳動粒子３３，３４が分散された分散媒３２を吐出し、対向基板２を素子基板１に重ね合せ、電気泳動粒子３３，３４が分散された分散媒３２をＸ方向に流動させて複数のセル５５に電気泳動粒子３３，３４が分散された分散媒３２を充填し、素子基板１と対向基板２とを貼り合せる工程である。
【０１３２】
本実施形態の表示パネル１５０の製造方法によれば、緩勾配の側壁５１ａから急勾配の側壁５１ｂに向かって電気泳動粒子３３，３４が分散された分散媒３２が流動するように、隔壁部５０（第１隔壁５１）を形成するので、Ｘ方向に流動する分散媒３２及び電気泳動粒子３３，３４の流動が隔壁部５０（第１隔壁５１）で阻害されにくく、セル５５に充填される電気泳動粒子３３，３４の濃度が表示領域Ｖの全体に亘って均一になり、電気泳動粒子３３，３４の濃度のムラに起因する表示ムラを抑制し、高品位な表示を提供することができる。
【０１３３】
（実施形態３）
「表示パネルの構成」
図１３は、図４に対応し、実施形態３に係る電気泳動表示装置における隔壁及び額縁隔壁の平面的な形状を示す模式平面図である。図１４（ａ）は、図２に対応し、図１３のＡ３−Ａ３’における表示パネルの概略断面図である。図１４（ｂ）は、図１４（ａ）の破線で囲まれた領域Ｆの概略断面図である。なお、図１３では、説明に必要のない構成要素の図示が省略されている。
【０１３４】
本実施形態に係る電気泳動表示装置４００を構成する表示パネル１６０では、二つの基準点ＢＰ１、ＢＰ２が設けられている点が実施形態１と異なり、他の構成は実施形態１と同じである。
以下、図１３及び図１４を参照して、本実施形態に係る表示パネル１６０の構成を、実施形態１との相違点を中心に説明する。また、実施形態１と同一の構成部位については、同一の符号を附し、重複する説明を省略する。
【０１３５】
図１３に示すように、本実施形態の表示パネル１６０は、第１の基準点ＢＰ１と第２の基準点ＢＰ２とを有している。表示領域Ｖは、第１の表示領域Ｖ１と第２の表示領域Ｖ２とを有している。つまり、表示領域ＶをＹ方向に沿って等分割した一方が第１の表示領域Ｖ１となり、表示領域ＶをＹ方向に沿って等分割した他方が第２の表示領域Ｖ２となる。第２の表示領域Ｖ２は、第１の表示領域Ｖ１と比べてＸ方向の側に配置される。
【０１３６】
第１の表示領域Ｖ１は、第１の塗布領域ＣＡ１を有し、第１の塗布領域ＣＡ１の中心が第１の基準点ＢＰ１となる。第２の表示領域Ｖ２は、第２の塗布領域ＣＡ２を有し、第２の塗布領域ＣＡ２の中心が、第２の基準点ＢＰ２となる。
なお、第１の基準点ＢＰ１が実施形態１の基準点ＢＰ（図１参照）に対応し、第２の基準点ＢＰ２が新たに設けられた基準点である。第１の基準点ＢＰ１は、本発明における「基準点」の一例である。第２の基準点ＢＰ２は、本発明における「他の基準点」の一例である。
【０１３７】
電気泳動粒子３３，３４が分散された分散媒３２を塗布する工程（ステップＳ５、図５参照）では、第１の基準点ＢＰ１及び第２の基準点ＢＰ２に向けて分散媒３２が吐出される。第１の基準点ＢＰ１に向けて吐出された分散媒３２及び電気泳動粒子３３，３４は、第１の基準点ＢＰ１を起点として、図中の二点鎖線で示される第１の塗布領域ＣＡ１の外縁に向けて流動する。第２の基準点ＢＰ２に向けて吐出された分散媒３２及び電気泳動粒子３３，３４は、第２の基準点ＢＰ２を起点として、図中の二点鎖線で示される第２の塗布領域ＣＡ２の外縁に向けて流動する。
【０１３８】
第１の表示領域Ｖ１には、第１の隔壁部５０ａが配置されている。第１の隔壁部５０ａは、第１隔壁５１と第２隔壁５２とで構成される。図中で、第１隔壁５１は実線で示され、第２隔壁５２は破線で示されている。第１隔壁５１は第１の基準点ＢＰ１と離れて配置され、第２隔壁５２は第１の基準点ＢＰ１に重なって配置される。つまり、第１隔壁５１は、第１の基準点ＢＰ１を起点とする分散媒３２及び電気泳動粒子３３，３４の流動方向に交差するように設けられ、第２隔壁５２は、第１の基準点ＢＰ１を起点とする分散媒３２及び電気泳動粒子３３，３４の流動方向に設けられている。
【０１３９】
第２の表示領域Ｖ２には、第２の隔壁部５０ｂが配置されている。第２の隔壁部５０ｂは、第２隔壁５２と第３隔壁５３とで構成される。図中で、第２隔壁５２は破線で示され、第３隔壁５３は一点鎖線で示されている。第３隔壁５３は第２の基準点ＢＰ２と離れて配置され、第２隔壁５２は第２の基準点ＢＰ２に重なって配置される。つまり、第３隔壁５３は、第２の基準点ＢＰ２を起点とする分散媒３２及び電気泳動粒子３３，３４の流動方向に交差するように設けられ、第２隔壁５２は、第２の基準点ＢＰ２を起点とする分散媒３２及び電気泳動粒子３３，３４の流動方向に設けられている。
第１の表示領域Ｖ１と第２の表示領域Ｖ２との境界には、第２隔壁５２が配置されている。
【０１４０】
このように、第１の隔壁部５０ａは第１隔壁５１と第２隔壁５２とで構成され、第２の隔壁部５０ｂは第２隔壁５２と第３隔壁５３とで構成されている。第１の隔壁部５０ａは、第１の基準点ＢＰ１に対して、第２の隔壁部５０ｂよりも近い側に配置されている。第２の隔壁部５０ｂは、第２の基準点ＢＰ２に対して、第１の隔壁部５０ａよりも近い側に配置されている。そして、第１の隔壁部５０ａと第２の隔壁部５０ｂとで、隔壁部５０が構成されている。
第１の隔壁部５０ａは、本発明における「第１の隔壁」の一例である。第２の隔壁部５０ｂは、本発明における「第２の隔壁」の一例である。
【０１４１】
第１の表示領域Ｖ１に配置されている第１の隔壁部５０ａは、実施形態１における隔壁部５０と同じ構成を有している。本実施形態では、実施形態１と同じ構成の第１の隔壁部５０ａに加えて、新たな隔壁部（第２の隔壁部５０ｂ）が設けられており、この点が実施形態１との相違点である。
【０１４２】
図１４（ａ）に示すように、第１の隔壁部５０ａは、第１隔壁５１と第２隔壁５２とで構成されている。第１隔壁５１は、側壁５１ａと、第１の基準点ＢＰ１に対して側壁５１ａよりも遠い側壁５１ｂとを有する。素子基板１に対する側壁５１ａの勾配は、素子基板１に対する側壁５１ｂの勾配と比べて、緩勾配になっている。第２隔壁５２は、一対の側壁５２ａ，５２ｂを有している。第２隔壁５２の側壁５２ａ，５２ｂは、第１隔壁５１の側壁５１ｂと同様に、第１隔壁５１の側壁５１ａと比べて急勾配になっている。
【０１４３】
図１４（ａ）及び図１４（ｂ）に示すように、第２の隔壁部５０ｂは、第２隔壁５２と、第３隔壁５３とで構成されている。第３隔壁５３は、側壁５３ａと、第２の基準点ＢＰ２に対して側壁５３ａよりも遠い側壁５３ｂとを有する。素子基板１に対する側壁５３ａの勾配は、素子基板１に対する側壁５３ｂの勾配と比べて、緩勾配になっている。
なお、側壁５３ａは、本発明における「第３の側壁」の一例である。側壁５３ｂは、本発明における「第４の側壁」の一例である。
【０１４４】
詳しくは、側壁５３ａは、素子基板１に対して順テーパーの傾斜を有するように形成されている。側壁５３ａと素子基板１とがなす角度θ５は、４５度〜６０度の範囲が好ましい。電気泳動粒子３３，３４の濃度のムラを抑制するためには、側壁５３ａと素子基板１とがなす角度θ５は小さい方が好ましく、本実施形態では、側壁５３ａと素子基板１とがなす角度θ５は概略４５度となっている。
【０１４５】
側壁５３ｂは、素子基板１に対して順テーパー、垂直、または逆テーパーの傾斜を有するように形成されている。側壁５３ｂと素子基板１とがなす角度θ６は、８５度〜１０５度の範囲が好ましい。側壁５３ｂは、側壁５３ａと比べて電気泳動粒子３３，３４の濃度のムラに影響しにくく、側壁５３ａよりも急勾配にすることができる。第２の隔壁部５０ｂが設けられた領域の面積、つまり隔壁部５０の面積（非表示領域の面積）を小さくするためには、側壁５３ｂと素子基板１とがなす角度θ６は大きい方が好ましく、本実施形態では側壁５３ｂと素子基板１とがなす角度θ６は概略９０度となっている。
【０１４６】
図示を省略するが、電気泳動粒子３３，３４は、側壁５３ａから側壁５３ｂに向けて流動する。このため、電気泳動粒子３３，３４は、側壁５３ａに沿ってＺ（−）方向（重力が作用する方向と反対方向）に流動した後、側壁５３ｂに沿ってＺ（＋）方向（重力が作用する方向）に流動する。このため、電気泳動粒子３３，３４の流動は、側壁５３ａで阻害されやすく、側壁５３ａよりもＸ方向の側に配置されている側壁５３ｂで阻害されにくい。
【０１４７】
側壁５３ａは、側壁５３ｂと比べて緩勾配であり、電気泳動粒子３３，３４の流動が阻害されにくくなっている。このため、電気泳動粒子３３，３４が側壁５３ａを乗り越えて流動しやすくなり、側壁５３ａで電気泳動粒子３３，３４が滞留しにくくなるので、側壁５３ａを乗り越えて流動する前と、側壁５３ａを乗り越えて流動した後とで電気泳動粒子３３，３４の濃度のムラが生じにくくなる。
【０１４８】
側壁５３ｂでは、電気泳動粒子３３，３４の流動が阻害されにくいので、側壁５３ｂの勾配を側壁５３ａの勾配と比べて急勾配にすることができる。側壁５３ｂの勾配を急勾配とすることで、第２の隔壁部５０ｂが設けられた領域の面積、つまり隔壁部５０の面積（非表示領域の面積）を小さくすることができる。
【０１４９】
このように、分散媒３２を吐出する基準点が複数存在する構成においても、複数の基準点のうちの一の基準点に対して近い側に配置される側壁を、複数の基準点のうちの一の基準点に対して遠い側に配置される側壁と比べて、緩勾配とすることで、分散媒３２及び電気泳動粒子３３，３４の流動を円滑にし、電気泳動粒子３３，３４の濃度のムラを抑制することできる。従って、電気泳動粒子３３，３４の濃度のムラに起因する表示ムラを抑制し、高品位な表示を提供することができる。
【０１５０】
基準点ＢＰの数は、上述した２箇所（第１の基準点ＢＰ１、第２の基準点ＢＰ２）に限定されず、３箇所であっても良く、４箇所であっても良い。
電気泳動粒子３３，３４が分散された分散媒３２を、複数の基準点（第１の基準点ＢＰ１、第２の基準点ＢＰ２）に吐出し、複数の基準点から流動させることで、電気泳動粒子３３，３４が分散された分散媒３２を１つの基準点ＢＰに吐出する構成（実施形態１の構成）と比べて、電気泳動粒子３３，３４が分散された分散媒３２を表示領域Ｖ及びダミー領域Ｄに充填する工程の処理時間を短くすることができる。
【０１５１】
なお、基準点ＢＰにかえて、第１の表示領域Ｖ１または第２の表示領域Ｖ２の少なくとも一方に基準線ＢＬ（図１参照）を設ける構成であっても良い。第１の表示領域Ｖ１または第２の表示領域Ｖ２の少なくとも一方に基準線ＢＬを設ける構成では、基準線ＢＬに向けて分散媒３２が塗布され、基準線ＢＬからダミーセル６５（ダミー領域Ｄ）に向かう方向の分散媒３２の流動が生じる。電気泳動粒子３３，３４の流動は、基準線ＢＬに近い側の側壁で阻害されやすく、基準線ＢＬに遠い側の側壁で阻害されにくくなる。このため、基準線ＢＬに近い側の側壁の勾配を、基準線ＢＬに遠い側の側壁と比べて緩勾配とすることで、電気泳動粒子３３，３４の流動を円滑にし、電気泳動粒子３３，３４の濃度のムラを生じにくくすることができる。
【０１５２】
（実施形態４）
「表示パネルの構成」
図１５は、図４に対応し、実施形態４に係る電気泳動表示装置における隔壁及び額縁隔壁の平面的な形状を示す模式平面図である。図１６は、素子基板に分散媒を塗布する工程の状態を模式的に示す斜視図である。図１７は、対向基板を素子基板に貼り合せる工程における分散媒の流動の状態を模式的に示す平面図である。なお、図１５乃至図１７では、説明に必要のない構成要素の図示が省略されている。
実施形態４に係る電気泳動表示装置５００では、隔壁部５０を構成する第１隔壁５１及び第２隔壁５２のレイアウトが実施形態１と異なり、他の構成は実施形態１と同じである。
以下、図１５乃至図１７を参照して、本実施形態に係る表示パネル１７０の構成を、実施形態１との相違点を中心に説明する。また、実施形態１と同一の構成部位については、同一の符号を附し、重複する説明を省略する。
【０１５３】
図１５に示すように、表示領域Ｖには図中の２点鎖線で示す矩形状の塗布領域ＣＡ３が設けられている。塗布領域ＣＡ３の中心が、基準点ＢＰとなる。塗布領域ＣＡ３の形状も、実施形態１と異なる。
【０１５４】
隔壁部５０は、第１隔壁５１と第２隔壁５２とで構成される。図中で、第１隔壁５１は実線で、第２隔壁５２は破線で示されている。塗布領域ＣＡ３の内側には、第２隔壁５２が設けられている。さらに、第２隔壁５２は、表示領域Ｖの外縁に向けて延在し、塗布領域ＣＡ３の外側にも配置されている。第１隔壁５１は、塗布領域ＣＡ３の外縁と表示領域Ｖの外縁との間で、塗布領域ＣＡ３の外縁を囲むように設けられている。つまり、塗布領域ＣＡ３の外側には、塗布領域ＣＡ３の内側から延在する第２隔壁５２と、塗布領域ＣＡ３の外縁を囲む第１隔壁５１とが設けられている。
【０１５５】
図１６に示すように、素子基板１に分散媒３２を塗布する工程（ステップＳ５、図５参照）では、線状に吐出する吐出部４８を有する吐出装置（図示省略）を用いて、吐出部４８を実線の矢印の方向（Ｘ方向）に移動させながら、電気泳動粒子３３，３４が分散された分散媒３２を素子基板１に向けて吐出し、塗布領域ＣＡ３に分散媒３２を塗布する。
【０１５６】
実施形態１では、点状に吐出する吐出部４６によって、電気泳動粒子３３，３４が分散された分散媒３２を基準点ＢＰにむけて吐出し（図６（ｄ）参照）、分散媒３２及び電気泳動粒子３３，３４を、基準点ＢＰから塗布領域ＣＡの外縁に向けて流動させる（図７参照）。
【０１５７】
本実施形態では、線状に吐出する吐出部４８をＸ方向に移動させながら、塗布領域ＣＡ３の全体に分散媒３２及び電気泳動粒子３３，３４を吐出している。本実施形態では、分散媒３２及び電気泳動粒子３３，３４を塗布領域ＣＡ３の全体に塗布しているので、分散媒３２及び電気泳動粒子３３，３４を基準点ＢＰから流動させて塗布領域ＣＡの全体に塗布する構成（実施形態１の構成）と比べて、分散媒３２及び電気泳動粒子３３，３４の流動が軽微になり、塗布領域ＣＡ３における電気泳動粒子３３，３４の濃度のムラが生じにくい。このため、塗布領域ＣＡ３の中に、急傾斜の側壁５２ａ，５２ｂを有する第２隔壁５２を配置しても、電気泳動粒子３３，３４の濃度のムラが生じにくい。さらに、塗布領域ＣＡ３の中に、急傾斜の側壁５２ａ，５２ｂを有する第２隔壁５２を配置することで、隔壁部５０の面積（非表示領域の面積）を小さくすることができる。
【０１５８】
対向基板２を素子基板１に貼り合せる工程（ステップＳ１１、図６（ｅ）参照）では、図１７の矢印で示すように、分散媒３２及び電気泳動粒子３３，３４が、表示領域Ｖの外縁からダミー領域Ｄの外縁に向けて流動する。塗布領域ＣＡ３の外縁を囲むように設けられた第１隔壁５１は、分散媒３２及び電気泳動粒子３３，３４の流動方向と交差し、電気泳動粒子３３，３４の流動を阻害する。図１７では図示を省略するが、第１隔壁５１は、基準点ＢＰに近い側の側壁５１ａと、基準点ＢＰに遠い側の側壁５１ｂとを有し、基準点ＢＰに近い側の側壁５１ａが電気泳動粒子３３，３４の流動を阻害しやすい。塗布領域ＣＡ３の内側から延在する第２隔壁５２は、分散媒３２及び電気泳動粒子３３，３４の流動方向に設けられているので、電気泳動粒子３３，３４の流動を阻害しにくい。
【０１５９】
第１隔壁５１では、基準点ＢＰに近い側の側壁５１ａの勾配と比べて、基準点ＢＰに遠い側の側壁５１ｂの勾配が緩勾配となっているので、塗布領域ＣＡ３の外縁と表示領域Ｖの外縁との間における電気泳動粒子３３，３４の流動は阻害されにくく、電気泳動粒子３３，３４の濃度のムラが生じにくい。従って、電気泳動粒子３３，３４の濃度のムラに起因する表示ムラを抑制し、高品位な表示を提供することができる。
【０１６０】
（実施形態５）
「表示パネルの構成」
図１８は、図４に対応し、実施形態５に係る電気泳動表示装置における隔壁及び額縁隔壁の平面的な形状を示す模式平面図である。図１９は、図７に対応し、分散媒３２の流動の状態を示す模式平面図である。図１８及び図１９では、説明に必要な構成要素だけが図示されている。
実施形態５に係る電気泳動表示装置６００では、表示領域Ｖの形状が実施形態１と異なり、他の構成は実施形態１と同じである。詳しくは、本実施形態の表示領域Ｖの形状は略円形状であり、実施形態１の表示領域Ｖは略矩形状である。
以下、図１８及び図１９を参照して、本実施形態に係る電気泳動表示装置６００の表示パネル１８０の構成を、実施形態１との相違点を中心に説明する。また、実施形態１と同一の構成部位については、同一の符号を附し、重複する説明を省略する。
【０１６１】
図１８に示すように、本実施形態に係る表示パネル１８０は、略円形状の表示領域Ｖを有している。表示領域Ｖの周囲には、略円形状の額縁隔壁６０が設けられ、表示領域Ｖと額縁隔壁６０との間にダミー領域Ｄ（ダミーセル６５）が設けられている。表示領域Ｖの中心に、基準点ＢＰが設けられている。つまり、表示領域Ｖの外縁は略円形であり、表示領域Ｖの外縁の中心が基準点ＢＰとなる。さらに、表示領域Ｖの内側には、基準点ＢＰを中心とする略円形状の塗布領域ＣＡ４が設けられている。
【０１６２】
表示領域Ｖには、第１隔壁５１と第２隔壁５２とで構成された隔壁部５０が設けられている。図中で、第１隔壁５１は実線で、第２隔壁５２は破線で示されている。第１隔壁５１と第２隔壁５２とで囲まれた領域が、電気泳動粒子３３，３４が分散された分散媒３２を充填するセル５５となる。
【０１６３】
第１隔壁５１の形状は、基準点ＢＰを中心とする略円形状である。つまり、基準点ＢＰを中心とする同心円が、第１隔壁５１となる。第２隔壁５２は、基準線Ｐに重なって配置されている。つまり、基準点ＢＰから放射線状に伸びる線が、第２隔壁５２となる。
【０１６４】
素子基板１に分散媒３２を塗布する工程（ステップＳ５、図５参照）では、点状に吐出する吐出部４６によって電気泳動粒子３３，３４が分散された分散媒３２を基準点ＢＰにむけて吐出する（図６（ｄ）参照）。図１９に示すように、基準点ＢＰに吐出された分散媒３２及び電気泳動粒子３３，３４は、図中の破線の矢印で示された方向、つまり基準点ＢＰから塗布領域ＣＡ４の外縁に向けて流動する。さらに、対向基板２を素子基板１に貼り合せる工程（ステップＳ１１、図５参照）では、分散媒３２及び電気泳動粒子３３，３４は、図中の実線の矢印で示された方向、つまり塗布領域ＣＡ４の外縁から表示領域Ｖの外縁に向けて流動する。
【０１６５】
素子基板１に分散媒３２を塗布する工程、及び対向基板２を素子基板１に貼り合せる工程における、分散媒３２及び電気泳動粒子３３，３４の流動方向は同じであり、分散媒３２及び電気泳動粒子３３，３４は基準点ＢＰを起点として、基準点ＢＰから表示領域Ｖの外縁に向けて流動する。第１隔壁５１は、分散媒３２及び電気泳動粒子３３，３４が流動する方向と交差する方向に配置されているので、電気泳動粒子３３，３４の流動が阻害されやすい。第２隔壁５２は、分散媒３２及び電気泳動粒子３３，３４の流動方向に配置されているので、電気泳動粒子３３，３４の流動が阻害されにくい。
【０１６６】
同心円状に配置されている第１隔壁５１は、基準点ＢＰに近い側の側壁５１ａと基準点ＢＰに遠い側の側壁５１ｂとを有しており、基準点ＢＰに近い側の側壁５１ａが電気泳動粒子３３，３４の流動を阻害する。基準点ＢＰに近い側の側壁５１ａの勾配は、基準点ＢＰに遠い側の側壁５１ｂの勾配と比べて緩勾配となっているので、電気泳動粒子３３，３４の流動は円滑となり、電気泳動粒子３３，３４の濃度のムラが生じにくい。従って、電気泳動粒子３３，３４の濃度のムラに起因する表示ムラを抑制し、高品位な表示を提供することができる。
【０１６７】
なお、表示領域Ｖの形状は、略円形状に限定されず、例えば略楕円形状であっても良く、例えば部分的に直線部分を有する略楕円形状であっても良い。
【０１６８】
（実施形態６）
図２０は、図４に対応し、実施形態６に係る電気泳動表示装置における隔壁及び額縁隔壁の平面的な形状を示す模式平面図である。図２１（ａ）は、図２に対応し、図２０のＡ４−Ａ４’における表示パネルの概略断面図である。図２１（ｂ）は、図２１（ａ）の破線で囲まれた領域Ｇの概略断面図である。また、図２０及び図２１では、説明に必要な構成要素だけが図示されている。
以下、図２０及び図２１を参照して、本実施形態に係る電気泳動表示装置７００の表示パネル１９０の構成を、実施形態１との相違点を中心に説明する。また、実施形態１と同一の構成部位については、同一の符号を附し、重複する説明を省略する。
【０１６９】
図２０に示すように、隔壁部５０は、第４隔壁５４で構成される。第４隔壁で囲まれた領域がセル５５になる。第４隔壁５４（隔壁部５０）が設けられた領域が、表示領域Ｖである。また、第４隔壁５４と額縁隔壁６０とで囲まれた領域がダミーセル６５（ダミー領域Ｃ）となる。表示領域Ｖ（第４隔壁５４が設けられた領域の中心が、基準点ＢＰとなる。
電気泳動粒子３３，３４が分散された分散媒３２を塗布する工程（ステップＳ５、図５参照）では、基準点ＢＰに向けて分散媒３２を吐出し、基準点ＢＰを流動の起点として、分散媒３２及び電気泳動粒子３３，３４を基準点ＢＰからダミー領域Ｄの外縁に向かう方向に流動させる。対向基板２を素子基板１に貼り合せる工程（ステップＳ１１、図６（ｅ）参照）では、分散媒３２及び電気泳動粒子３３，３４を基準点ＢＰからダミー領域Ｄの外縁に向かう方向に流動させる。
【０１７０】
図２１（ａ）及び図２１（ｂ）に示すように、表示パネル１９０の隔壁部５０は、第４隔壁５４で構成される。第４隔壁５４は、側壁５４ａと、基準点ＢＰに対して側壁５４ａよりも遠い側壁５４ｂとを有する。つまり、第４隔壁５４は、基準点ＢＰに近い側の側壁５４ａと、基準点ＢＰに遠い側の側壁５４ｂとを有する。
なお、側壁５４ａは、本発明における「第５の側壁」の一例である。側壁５４ｂは、本発明における「第６の側壁」の一例である。
【０１７１】
側壁５４ａは、素子基板１に対して順テーパーの傾斜を有するように形成されている。側壁５４ａと素子基板１とがなす角度θ７は、４５度〜６０度の範囲に設定されている。第４隔壁５４の面積、つまり隔壁部５０の面積（非表示領域の面積）を小さくするためには、側壁５４ａと素子基板１とがなす角度θ７は大きい方が好ましく、本実施形態では、側壁５４ａと素子基板１とがなす角度θ７は概略６０度となっている。
【０１７２】
側壁５４ｂは、素子基板１に対して順テーパーの傾斜を有するように形成されている。側壁５４ｂと素子基板１とがなす角度θ８は、４５度〜６０度の範囲に設定されている。第４隔壁５４の面積、つまり隔壁部５０の面積（非表示領域の面積）を小さくするためには、側壁５４ｂと素子基板１とがなす角度θ８は大きい方が好ましく、本実施形態では、側壁５４ｂと素子基板１とがなす角度θ８は概略６０度となっている。
【０１７３】
電気泳動粒子３３，３４が分散された分散媒３２を塗布する工程（ステップＳ５、図５参照）において、電気泳動粒子３３，３４が分散された分散媒３２が基準点ＢＰに吐出された場合、分散媒３２及び電気泳動粒子３３，３４は、基準点ＢＰを流動の起点として、基準点ＢＰからダミー領域Ｄに向かう方向に流動する。
基準点ＢＰを流動の起点として流動する場合、分散媒３２及び電気泳動粒子３３，３４は、基準点ＢＰに近い側の側壁５４ａから基準点ＢＰに遠い側の側壁５４ｂに向かう方向に流動する。この場合、電気泳動粒子３３，３４の流動は、基準点ＢＰに近い側の側壁５４ａによって阻害されやすく、基準点ＢＰに遠い側の側壁５４ｂによって阻害されにくくなる。
【０１７４】
ところが、電気泳動粒子３３，３４が分散された分散媒３２を塗布する工程（ステップＳ５、図５参照）において、電気泳動粒子３３，３４が分散された分散媒３２が基準点ＢＰと異なる位置に吐出された場合、分散媒３２及び電気泳動粒子３３，３４は、基準点ＢＰと異なる位置を流動の起点として、当該基準点ＢＰと異なる位置からダミー領域Ｄに向かう方向に流動するようになる。
【０１７５】
基準点ＢＰと異なる位置を流動の起点として流動する場合、分散媒３２及び電気泳動粒子３３，３４は、基準点ＢＰに近い側の側壁５４ａから基準点ＢＰに遠い側の側壁５４ｂに向かう方向に流動する場合に加えて、基準点ＢＰに遠い側の側壁５４ｂから基準点ＢＰに近い側の側壁５４ａに向かう方向に流動する場合が生じる。電気泳動粒子３３，３４が、基準点ＢＰに遠い側の側壁５４ｂから基準点ＢＰに近い側の側壁５４ａに向かう方向に流動する場合、電気泳動粒子３３，３４の流動は、基準点ＢＰに遠い側の側壁５４ｂによって阻害されやすく、基準点ＢＰに近い側の側壁５４ａによって阻害されにくくなる。
すなわち、電気泳動粒子３３，３４が基準点ＢＰと異なる位置を流動の起点として流動する場合、電気泳動粒子３３，３４の流動が側壁５４ａによって阻害されやすい領域と、電気泳動粒子３３，３４の流動が側壁５４ｂによって阻害されやすい領域とが生じる。よって、基準点ＢＰに近い側の側壁５４ａ及び基準点ＢＰに遠い側の側壁５４ｂの両方によって、電気泳動粒子３３，３４の流動が阻害されることになる。
【０１７６】
上述したように、発明者は、素子基板に対する側壁の勾配に関する詳細な検討を行い、セル５５に充填される電気泳動粒子３３，３４の濃度のムラを抑制するためには、側壁と素子基板１とがなす角度は、６０度または６０度よりも小さくなっていることが好ましいという事実を見出した。つまり、側壁５４ａ，５４ｂと素子基板１とがなす角度θ７，θ８を、６０度または６０度よりも小さくすることで、電気泳動粒子３３，３４の濃度のムラに起因する表示ムラを抑制することができるという事実を見出した。
【０１７７】
本実施形態では、基準点ＢＰに近い側の側壁５４ａと素子基板１となす角度θ７、及び基準点ＢＰに遠い側の側壁５４ｂと素子基板１となす角度θ８は、共に６０度に形成されている。
よって、基準点ＢＰに近い側の側壁５４ａ及び基準点ＢＰに遠い側の側壁５４ｂの両方によって、電気泳動粒子３３，３４の流動が阻害されやすい条件であっても、側壁５４ａと素子基板１となす角度θ７、及び側壁５４ｂと素子基板１となす角度θ８は、共に６０度または６０度よりも小さくなっているので、セル５５に充填される電気泳動粒子３３，３４の濃度のムラを抑制することができる。従って、電気泳動粒子３３，３４の濃度のムラに起因する表示ムラを抑制し、高品位な表示を提供することができる。
【０１７８】
なお、電気泳動粒子３３，３４の流動を円滑にするためには、側壁５４ａ，５４ｂと素子基板１とがなす角度θ７，θ８は小さい方が好ましいが、側壁５４ａ，５４ｂと素子基板１とがなす角度θ７，θ８を小さくしすぎると、第４隔壁５４の面積、つまり隔壁部５０の面積（非表示領域の面積）が大きくなりすぎるので好ましくない。このため、側壁５４ａと素子基板１とがなす角度θ７、及び側壁５４ｂと素子基板１とがなす角度θ８は、共に４５度または４５度よりも大きいことが好ましい。
従って、基準点ＢＰに近い側の側壁５４ａと素子基板１となす角度θ７、及び基準点ＢＰに遠い側の側壁５４ｂと素子基板１となす角度θ８は、共に４５度〜６０度の範囲であることが好ましい。
【０１７９】
公知技術（特開２０１２−６３４１８号公報）においても、隔壁は、素子基板に対してテーパー形状に傾斜した側壁を有しているが、素子基板に対して急峻に傾斜している側壁である点が本実施形態と異なる。さらに、本実施形態では、電気泳動粒子３３，３４の濃度のムラを抑制するために適正な勾配となるように、側壁（隔壁）を形成し、電気泳動粒子３３，３４の濃度のムラを抑制している。つまり、本実施形態では、隔壁を構成する側壁の勾配の適正値が示されており、この点も公知技術との相違点である。
【０１８０】
（実施形態７）
図２２は、電子機器としての電子書籍１０００の斜視図である。当該電子書籍１０００は、表示部１２００、及び電子書籍１０００を操作するためのインターフェイスである操作部１３００などを備えている。
表示部１２００には、上述した実施形態に係る電気泳動表示装置２００、電気泳動表示装置３００、電気泳動表示装置４００、電気泳動表示装置５００、及び電気泳動表示装置７００のうちのいずれかが搭載されている。表示部１２００に搭載されている電気泳動表示装置では、電気泳動粒子３３，３４の濃度のムラが抑制され、高品位の表示が提供される。
【０１８１】
さらに、略円形状の表示部を有する腕時計（図示省略）に、上述した実施形態に係る電気泳動表示装置６００を適用させることができる。
当該電子書籍１０００や当該腕時計の他に、例えば電子ペーパー、電子ノート、携帯電話、携帯用オーディオ機器などの各種電子機器の表示部に、本実施形態に係る電気泳動表示装置２００，３００，４００，５００，６００，７００を搭載し、高品位の表示を提供することができる。
【符号の説明】
【０１８２】
Ｖ…表示領域、Ｄ…ダミー領域、ＢＬ…基準線、ＢＰ…基準点、ＣＰ…塗布領域の中心、ＣＡ…塗布領域、Ｐ…画素、１…素子基板、２…対向基板、３…走査線、４…信号線、１０…基材、１１…素子層、１２…画素電極、２０…基材、２１…共通電極、２２…封止層、３０…電気泳動層、３２…分散媒、３３…黒色の電気泳動粒子、３４…白色の電気泳動粒子、３９…シール材、５０…隔壁部、５１…第１隔壁、５１ａ，５１ｂ…第１隔壁の側壁、５２…第２隔壁、５２ａ，５２ｂ…第２隔壁の側壁。
【図１】
2015102846.tif 000003
【図２】
2015102846.tif 000004
【図３】
2015102846.tif 000005
【図４】
2015102846.tif 000006
【図５】
2015102846.tif 000007
【図６】
2015102846.tif 000008
【図７】
2015102846.tif 000009
【図８】
2015102846.tif 000010
【図９】
2015102846.tif 000011
【図１０】
2015102846.tif 000012
【図１１】
2015102846.tif 000013
【図１２】
2015102846.tif 000014
【図１３】
2015102846.tif 000015
【図１４】
2015102846.tif 000016
【図１５】
2015102846.tif 000017
【図１６】
2015102846.tif 000018
【図１７】
2015102846.tif 000019
【図１８】
2015102846.tif 000020
【図１９】
2015102846.tif 000021
【図２０】
2015102846.tif 000022
【図２１】
2015102846.tif 000023
【図２２】
2015102846.tif 000024